(57)【要約】【課題】送達された投与量情報を獲得するためのデバイスを提供する。【解決手段】送達された投与量情報を獲得するためのシステムであって、薬剤バイアルの側壁部に取り付けられている薬剤ボリュームセンサを有する薬剤バイアルと、プロセッサと、インストラクションを含むメモリであって、前記インストラクションは、前記プロセッサを制御し、前記薬剤ボリュームセンサから薬剤ボリューム測定値を受け取り、投与送達の前と前記投与送達の後のボリュームの差を決定するように適合されている、メモリとを含み、前記薬剤バイアルの中の薬剤の密度よりも小さい密度を有する複数の磁気ビーズをさらに含み、前記複数の磁気ビーズは、前記薬剤バイアルの中に配設され、前記薬剤バイアルの中の前記薬剤の中に浮遊しており、前記薬剤ボリュームセンサは、前記薬剤バイアルに近接して磁気センサを含み、前記薬剤バイアルの中の前記磁気ビーズの場所を検出する。【選択図】図１７
2022000217.tif 000002
【特許請求の範囲】
【請求項１】
送達された投与量情報を獲得するためのシステムであって、
薬剤バイアルの側壁部に取り付けられている薬剤ボリュームセンサを有する薬剤バイアルと、
プロセッサと、
インストラクションを含むメモリであって、前記インストラクションは、前記プロセッサを制御し、前記薬剤ボリュームセンサから薬剤ボリューム測定値を受け取り、投与送達の前と前記投与送達の後のボリュームの差を決定するように適合されている、メモリと
を含み、
前記薬剤バイアルの中の薬剤の密度よりも小さい密度を有する複数の磁気ビーズをさらに含み、前記複数の磁気ビーズは、前記薬剤バイアルの中に配設され、前記薬剤バイアルの中の前記薬剤の中に浮遊しており、前記薬剤ボリュームセンサは、前記薬剤バイアルに近接して磁気センサを含み、前記薬剤バイアルの中の前記磁気ビーズの場所を検出することを特徴とするシステム。
【請求項２】
送達された投与量情報を獲得するためのシステムであって、
薬剤バイアルの側壁部に取り付けられている薬剤ボリュームセンサを有する薬剤バイアルと、
プロセッサと、
インストラクションを含むメモリであって、前記インストラクションは、前記プロセッサを制御し、前記薬剤ボリュームセンサから薬剤ボリューム測定値を受け取り、投与送達の前と前記投与送達の後のボリュームの差を決定するように適合されている、メモリと
を含み、
前記薬剤ボリュームセンサは、前記薬剤バイアルの側壁に取り付けられた前記薬剤バイアル内の薬剤レベルの連続関数としての静電容量を有する静電容量センサを含み、
磁気ビーズの数は、前記バイアルの中の前記薬剤の露出された表面を実質的にカバーするのに十分なものになっていることを特徴とするシステム。
【請求項３】
改善された病気の治療のための情報学的に使用可能な投薬システムであって、
インスリン投与量入力エレメントと、
経口薬入力エレメントと、
血糖レベル入力エレメントと、
炭水化物入力エレメントと
を含み、
前記システムは、データハブおよびＲＦＩＤチップをさらに含み、前記データハブは、それぞれの前記入力エレメントからデータを受け取り、前記入力エレメントから受け取られた前記データに基づいて計算を実施し、前記実施された計算に基づいてフィードバックをユーザに提供するように適合されていることを特徴とするシステム。
【請求項４】
前記インスリン投与量入力エレメントは、トランシーバを含むスマート投与量決定デバイスを含み、前記トランシーバは、投与量がユーザに投与されるときに、実質的にリアルタイムの投与量情報を前記データハブに伝送するように適合されていることを特徴とする請求項３に記載のシステム。
【請求項５】
前記経口薬入力エレメントは、情報学的に使用可能な経口薬コンテナを含み、前記情報学的に使用可能な経口薬コンテナは、前記ユーザによって取り込まれる経口薬量に対応するユーザ入力を受け取るように適合されている、スマートフォンの上で稼働するアプリケーションと通信することを特徴とする請求項３に記載のシステム。
【請求項６】
前記血糖レベル入力エレメントは、トランシーバを含む血糖モニタを含み、前記トランシーバは、血糖データを前記データハブに伝送するように適合されていることを特徴とする請求項３に記載のシステム。
【請求項７】
前記血糖モニタは、持続血糖モニタであることを特徴とする請求項６に記載のシステム。
【請求項８】
前記炭水化物入力エレメントは、前記ユーザによって摂取された食べ物および／または飲み物に対応するユーザ入力を受け取るように適合されている、スマートフォンの上で稼働するアプリケーションを含み、前記アプリケーションは、前記ユーザ入力から、前記ユーザによって摂取された炭水化物を推定するように適合されていることを特徴とする請求項３に記載のシステム。
【請求項９】
ウェルネスデータ入力エレメントをさらに含むことを特徴とする請求項３に記載のシステム。
【請求項１０】
前記ウェルネスデータ入力エレメントは、スマートフォンの上で稼働するアプリケーションを含み、前記アプリケーションは、ウェルネスデータに関連するユーザ入力を受け取るように、および、前記ウェルネスデータを前記データハブに伝送するように適合されていることを特徴とする請求項９に記載のシステム。
【請求項１１】
インスリンペンを受け入れるように適合されているインフォマティクス使用可能なペンケースであって、
シリンジ受け入れキャビティと、
前記シリンジ受け入れキャビティに隣接しているクランピングシステムであって、前記シリンジ受け入れキャビティのプランジャの上をクランプするように適合されている、クランピングシステムと、
前記クランピングシステムが前記プランジャの上にクランプされているときに、前記クランピングシステムおよびプランジャを移動させるように適合されているアクチュエータと、
トランシーバから投与量コマンドを受け取るように、および、制御情報をコントローラに送るように適合されているプロセッサであって前記コントローラは、前記アクチュエータおよび前記クランピングシステムを動作させるように適合されている、プロセッサと、
ユーザインターフェースから投与量コマンドを受け取るように適合されているトランシーバを含み、
前記トランシーバは、受け取られた投与量コマンドを前記プロセッサに伝送し、
前記プロセッサは、ＲＦＩＤチップを含み、前記投与量コマンドを受け取り、前記投与量コマンドに対応する制御情報を前記コントローラに送り、
前記コントローラは、前記制御情報を受け取り、および前記クランピングシステムおよびアクチュエータを制御し、前記シリンジの前記プランジャをクランプし、前記プランジャを移動させ、前記投与量コマンドに対応する投与量を引き出すことを特徴とするインフォマティクス使用可能なペンケース。
【請求項１２】
前記ユーザインターフェースは、スマートフォンの上で稼働するアプリケーションを含むことを特徴とする請求項１１に記載のインフォマティクス使用可能なペンケース。
【請求項１３】
情報学的に使用可能な薬剤送達デバイスおよびデバイスケースであって、
薬剤で充填されている除去可能なリザーバを受け入れるように適合されている薬剤送達デバイスであって、前記リザーバは、プランジャを含み、前記プランジャは、前記リザーバの中を軸線方向に移動し、薬剤が前記リザーバから出ていくことを引き起こすように適合されており、前記プランジャは、ターゲットエレメントを含み、前記ターゲットエレメントは、前記プランジャに取り付けられており、前記プランジャとともに軸線方向に移動する、薬剤送達デバイスと、
キャビティおよびターゲットエレメントセンサを含むデバイスケースであって、前記キャビティは、前記薬剤送達デバイスに対応しており、前記薬剤送達デバイスを所定の場所に受け入れるように形状決めされており、前記ターゲットエレメントセンサは、前記ターゲットエレメントの場所を感知するように適合されているデバイスケースと
を含み、
前記デバイスケースは、前記ターゲットエレメントセンサからの信号を受け取るように適合されているプロセッサと、リアルタイムクロックと、前記ターゲットエレメントセンサによって感知されたターゲットエレメント場所を記憶するためのメモリと、ワイヤレストランシーバとをさらに含み、
前記プロセッサは、ターゲットエレメントセンサ信号および前記リアルタイムクロックに基づいて、投与量および投与時間を決定するように適合されており、また、前記決定された投与量および投与時間を前記ワイヤレストランシーバに送るように適合されており、
前記ワイヤレストランシーバは、前記決定された投与量および投与時間をリモートデバイスに伝送するように適合されていることを特徴とする薬剤送達デバイスおよびデバイスケース。
【請求項１４】
前記薬剤送達デバイスは、インスリンペンであることを特徴とする請求項１３に記載の薬剤送達デバイスおよびデバイスケース。
【請求項１５】
情報学的に使用可能な薬剤送達デバイスであって、
薬剤で充填されている除去可能なリザーバを受け入れるように適合されている薬剤送達デバイスであって、前記リザーバは、プランジャを含み、前記プランジャは、前記リザーバの中を軸線方向に移動し、薬剤が前記リザーバから出ていくことを引き起こすように適合されており、前記プランジャは、ターゲットエレメントを含み、前記ターゲットエレメントは、前記プランジャに取り付けられており、前記プランジャとともに軸線方向に移動する、薬剤送達デバイスと、
前記薬剤送達デバイスを受け入れ、前記薬剤送達デバイスの送達端部を囲むように適合されているデバイスキャップであって、前記デバイスキャップは、前記ターゲットエレメントの場所を感知するように適合されているターゲットエレメントセンサを含む、デバイスキャップと
を含み、
前記デバイスキャップは、前記ターゲットエレメントセンサからの信号を受け取るように適合されているプロセッサと、リアルタイムクロックと、前記ターゲットエレメントセンサによって感知されたターゲットエレメント場所を記憶するためのメモリと、ワイヤレストランシーバとをさらに含み、
前記プロセッサは、ターゲットエレメントセンサ信号および前記リアルタイムクロックに基づいて、投与量および投与時間を決定するように適合されており、また、前記決定された投与量および投与時間を前記ワイヤレストランシーバに送るように適合されており、
前記ワイヤレストランシーバは、前記決定された投与量および投与時間をリモートデバイスに伝送するように適合されていることを特徴とする薬剤送達デバイス。
【請求項１６】
前記薬剤送達デバイスは、インスリンペンであり、前記デバイスキャップは、スマートペンキャップであることを特徴とする請求項１５に記載の薬剤送達デバイスおよびデバイスケース。
【発明の詳細な説明】
【技術分野】
【０００１】
本発明は、シリンジまたは他の薬物送達デバイスによって送達される薬物のボリュームを獲得するためのシステムおよび方法に関する。特に、本発明は、薬物投与送達情報を獲得するために、さまざまな薬物送達デバイスおよびコンポーネントとともに、ホール効果センシングおよび磁気抵抗（ＭＲ）センシング、および、マイクロ電気機械システム（ＭＥＭＳ）フローセンシングなどのような、磁気位置センシングを利用するためのシステムおよび方法に関する。
【０００２】
本出願は、「ＳＹＳＴＥＭ  ＡＮＤ  ＭＥＴＨＯＤ  ＦＯＲ  ＣＡＰＴＵＲＩＮＧ  ＤＯＳＥ  ＩＮＦＯＲＭＡＴＩＯＮ」という標題の２０１４年９月１４日に出願された米国特許出願第１４／４８５，７４９号明細書の利益を主張し、その内容全体は、参照により本明細書に組み込まれている。
【背景技術】
【０００３】
糖尿病は、インスリン製造、インスリン作用、または、その両方における欠陥から結果として生じる高いレベルの血糖を特徴とする病気のグループである。米国では、糖尿病を有する２５．８百万人の人々（または、人口の８．３％）が存在している。糖尿病の合計患者数は、２００５年〜２００７年の期間から１３．５％増加している。糖尿病は、重大な合併症および早過ぎる死につながる可能性があるが、病気を制御して合併症のリスクを低下させることを助けるために、糖尿病を有する人々に利用可能な周知の製品が存在している。慢性高血糖症は、腎不全、末梢神経障害、網膜症、および血管系合併症を含む、重大でときには不可逆的な合併症につながる。
【０００４】
糖尿病患者のための治療オプションは、特殊化した食事、経口薬、および／またはインスリン療法を含む。糖尿病治療に関する主な目的は、合併症のない生活の機会を増加させるために、患者の血糖（砂糖）値を制御することである。
【０００５】
理想的な糖尿病療法は、血糖値の連続的なモニタリング、インスリン投薬、炭水化物推定などのような食事の摂取、活動トラッキング、ストレスレベル、および他の要因に関するデータ獲得を含むこととなる。連続的にモニタリングすることによって、医療従事者は、それぞれの患者に関する治療レジメンの有効性を最大化することが可能である。残念なことには、１日複数回注入（ＭＤＩ）、インスリンペン、パッチポンプ、およびインスリンポンプを含む、従来の糖尿病治療は、患者に送達された薬物投与量に関する情報を十分に記録せず、フィードバックを医者に提供しない。したがって、医者と患者との間の従来のフィードバックループは、頻繁ではなく、主に、医者と患者との間の定性的評価に基づいている。したがって、投与送達獲得などのようなインフォマティクス（informatics）を追加し、強化されたフィードバックを医療従事者に提供し、糖尿病療法を改善する薬物送達デバイスおよび方法を強化する必要性が存在している。
【０００６】
糖尿病（ＤＭ）を適正に診断および治療するために、患者および／またはヘルスケア提供者（ＨＣＰ）は、（１）インスリン投薬、（２）経口薬、（３）血糖測定（ＢＧＭ）、および（４）炭水化物摂取に関する短期間の日々の記録を評価することが必要である。これらのデータは、インスリンペンについてのセッティング、ＢＧＭメータからの一時的な読み値、および、患者によってすべて決定され、ログブックまたは日記の中へ転置される食事の中の炭水化物の推定値などのような、異なる情報源から得られる。データを記録するこの方法は、極端に面倒なものであり、誤差および省略を起こしがちである。最良のケースのシナリオにおいても、履歴記録が完全であるときに、手書きのデータを、データを再構築し、傾向を評価し、治療的な修正を支持するソフトウェアに転置することがなければ、得られ得る洞察は限定される。結果として、患者の大部分は、彼らのログブックを適正に維持せず、それは、患者および病気を適正に診断する医者の能力を低減させ、それは、最終的に、療法に対する順守低下、および、血糖コントロール低下を結果として生じさせる可能性がある。したがって、システムは、糖尿病の適正な診断および治療のために必要なすべてのデータを自動的に獲得すること、記憶すること、転送すること、および、最適な評価を可能にすることが必要とされる。
【０００７】
特許文献１は、パッチペンに取り付けられ得るモニタが記載されており、パッチペンは、それぞれの送達イベントの時間を感知し、ワイヤレスで伝送することが可能である。磁石などのようなフラグが、パッチペンの中の移動可能なリンケージの上に設置されており、モニターアタッチメントの中のセンサが、リンケージトラベルの端部における、すなわち、送達サイクルの端部における、磁石の近接を検出する。
【先行技術文献】
【特許文献】
【０００８】
【特許文献１】米国特許第８，６１３，７１９号明細書
【特許文献２】米国特許出願公開第２０１２／０２２２４６８号明細書
【特許文献３】米国特許出願公開第２０１２／０２２６４４７号明細書
【特許文献４】米国特許出願公開第２０１２／０２２６４４６号明細書
【特許文献５】米国仮特許出願第６１／９７６，６３１号明細書
【特許文献６】米国特許第７，９０１，３８３号明細書
【特許文献７】米国特許出願公開第２０１１−００５４３９０号明細書
【特許文献８】米国特許出願公開第２０１１−００２２０２５号明細書
【特許文献９】米国特許出願公開第２０１２／００４１４１７号明細書
【発明の概要】
【発明が解決しようとする課題】
【０００９】
本発明の実施形態によって、上記に説明されている不利益は、克服されるかまたは最小化され、上記の利点および他の利点は、実現化される。本発明の例示的な実施形態は、送達された投与量情報を獲得するためのデバイスを提供する。デバイスは、薬物送達デバイスと、薬物送達デバイスに取り付けられるように適合されている投与量情報獲得デバイスと、薬物送達デバイスに取り付けられるように適合されているセンサエレメントとを含む。センサエレメントは、好ましくは、磁石、好ましくは、（非永久磁石も使用され得るが）永久磁石、および、少なくとも１つの鉄系エレメントのいずれかのうちの少なくとも１つを含み、薬物送達デバイスの投与送達メカニズムの上において、薬物送達デバイスに取り付けられている。投与量情報獲得デバイスは、センサエレメントの位置を検出するように適合されている磁気位置センサを含む。
【００１０】
したがって、本発明の実施形態は、磁気位置センシングによって、送達された投与量を感知するデバイスを提供する。磁気位置センシングは、ホール効果センサ、磁気抵抗センサ、または、任意の他の適切なデバイスによって達成される。さまざまな実施形態は、線形並進、回転移動、フロー、または、インスリンバイアルもしくはリザーバの中の薬物レベルを感知することが可能である。本明細書で記載されるように、磁気位置センシングは、インスリンペンまたは他の医薬品送達デバイスの中に送達されることとなる投与量と相関する機械的なリンケージまたは機械化（mechanization）の線形移動または回転移動を決定する。他の実施形態では、磁気位置センシングは、インスリンの上部表面の上に浮遊する磁石の線形並進または位置の変化などによって、容器の中の流体のレベルを決定するために利用される。フローセンシング、とりわけ、ＭＥＭＳフローセンサは、ペン、シリンジ、または他の医薬品送達デバイスから送達される医薬品のボリュームを決定するために使用されるＴｉｍｅ  ｏｆ  Ｆｌｉｇｈｔ飛行時間型（ＴｏＦ）センサなどのような、コリオリセンサ、静電容量センサ、およびサーマルセンサを含む。静電容量センシングは、好ましくは、インスリンバイアルなどのような容器の中のインスリンなどのような液体のレベルを測定および決定するために使用される。
【００１１】
本発明の特定の例示的な実施形態の上記のおよび他の例示的な特徴および利点は、添付の図面と併用されるときに、その特定の例示的な実施形態の以下の説明から、より明らかになることとなる。
【図面の簡単な説明】
【００１２】
【図１】本発明の例示的な実施形態による情報学的に使用可能な（informatically enabled）バイアルスリーブを示す図である。
【図２Ａ】本発明の例示的な実施形態とともに利用される磁石配置、および、ホール効果センサの中の距離に対するフラックス密度を示す図である。
【図２Ｂ】本発明の例示的な実施形態とともに利用されるホール効果センサ配置に関する、実質的に線形の出力電圧−対−フラックス密度の曲線を示す図である。
【図３】本発明の例示的な実施形態による情報学的に使用可能なバイアルスリーブを示す図である。
【図４】本発明の別の例示的な実施形態による情報学的に使用可能なバイアルスリーブを示す図である。
【図５】本発明の例示的な実施形態によるペンキャップおよびフローセンサを示す図である。
【図６】本発明の例示的な実施形態による、再使用可能なペンまたは使い捨てのペンに関する情報学的に使用可能なアタッチメントを示す図である。
【図７】図６に図示されているアタッチメントとともに使用するためのマルチポール磁気リングおよびホール効果センサ配置を示す図である。
【図８】本発明の例示的な実施形態による固定投与ペンを示す図である。
【図９】調節可能な投与ペンまたは固定投与ペンのいずれかの別の説明図である。
【図１０】本発明の例示的な実施形態による情報学的に使用可能な機械的なパッチペンの実施形態を示す図である。
【図１１】本発明の例示的な実施形態による情報学的に使用可能な機械的なパッチペンの実施形態を示す図である。
【図１２】本発明の例示的な実施形態による情報学的に使用可能なペンケースを示す図である。
【図１３】本発明の別の例示的な実施形態による情報学的に使用可能なペンケースを示す図である。
【図１４】本発明の別の例示的な実施形態による情報学的に使用可能なシリンジスリーブを示す図である。
【図１５】本発明の別の例示的な実施形態による静電容量センシングを利用する情報学的に使用可能なバイアルスリーブを示す図である。
【図１６】本発明の別の例示的な実施形態による情報学的に使用可能なバイアルスリーブを示す図である。
【図１７】本発明の別の例示的な実施形態による別の情報学的に使用可能なバイアルスリーブを示す図である。
【図１８Ａ】本発明の例示的な実施形態によるシリンジに外部から取り付けられているリニア磁気位置センシング配置を示す図である。
【図１８Ｂ】本発明の例示的な実施形態による、シリンジに外部から取り付けられているリニア磁気位置センシング配置を示す図である。
【図１９Ａ】情報学的に使用可能な注入ポートを示す図である。
【図１９Ｂ】情報学的に使用可能な注入ポートを示す図である。
【図１９Ｃ】情報学的に使用可能な注入ポートを示す図である。
【図１９Ｄ】情報学的に使用可能な注入ポートを示す図である。
【図２０】本発明の例示的な実施形態による情報学的に使用可能な薬物送達デバイスを含むワイヤレス通信システムを示す図である。
【図２１】本発明の例示的な実施形態によるペンニードルを識別するためのシステムを示す図である。
【図２２】本発明の例示的な実施形態によるペンニードルを識別するための別のシステムを示す図である。
【図２３】本発明の例示的な実施形態によるペンニードルを識別するための別のシステムを示す図である。
【図２４】本発明の例示的な実施形態によるペンニードルを識別するためのさらなる別のシステムを示す図である。
【図２５】本発明の例示的な実施形態によるホール効果センサおよびリング磁石の組み合わせを示す図である。
【図２６】本発明の例示的な実施形態によるインスリンペンとともに働くように適合されている回転式デバイスを示す図である。
【図２７】本発明の実施形態の手づかみ構成を示す図である。
【図２８】本発明の例示的な実施形態によるリニア投与量測定装置を示す図である。
【図２９】本発明の実施形態のサーマル飛行時間型センサ（thermal time of flight sensor）を示す図である。
【図３０】キャップが除去されている状態の図２９の実施形態を示す図である。
【図３１】キャップがインストールされている状態の図２９の実施形態を示す図である。
【図３２】本発明の例示的な実施形態によるサーマル飛行時間型投与量測定システムの分解図である。
【図３３】図３２に示されている実施形態の使い捨て部分の第１の図である。
【図３４】図３３の使い捨て部分の第２の図である。
【図３５】図３３〜図３４の使い捨て部分の断面図である。
【図３６】本発明の例示的な実施形態の耐久性部分の分解図である。
【図３７】本発明の例示的な実施形態によるサーマル飛行時間型センサを示す図である。
【図３８】本発明の例示的な実施形態による使い捨て部分、耐久性部分、インスリンペン、およびペンニードルの間の相互作用を示す図である。
【図３９】本発明の例示的な実施形態による使い捨て部分、耐久性部分、インスリンペン、およびペンニードルの間の相互作用を示す図である。
【図４０】本発明の例示的な実施形態による使い捨て部分、耐久性部分、インスリンペン、およびペンニードルの間の相互作用を示す図である。
【図４１】本発明の例示的な実施形態によるｚ軸フィルムのクローズアップを示す図である。
【図４２】本発明の例示的な実施形態によるサーマル飛行時間型センサの動作をさらに示す拡大図である。
【発明を実施するための形態】
【００１３】
図の全体を通して、同様の参照数字は、同様のエレメント、特徴、および構造を表すということが理解されることとなる。
【００１４】
下記に提供されている例では、インスリン送達が説明されている。しかし、インスリン送達は、単に例示的なものであり、任意の薬物送達が本発明の範囲内にあるということが企図されているということが理解されるべきである。インフォマティクスは、本明細書において、情報の分析、収集、分類、操作、保管、検索、移動、および普及に主に関係する学際的分野として定義される。
【００１５】
本発明の例示的な実施形態は、シリンジ、インスリンペン、または、他の医薬品送達デバイスのいずれかによって送達されている薬物の量またはボリュームを獲得する。いくつかの主な技術の分野では、ホール効果センシングを含む磁気位置センシング、異方性ＭＲを含む磁気抵抗（ＭＲ）センシング、サーマル飛行時間型（ＴｏＦ）センシングを含むＭＥＭＳフローセンシング、マイクロコリオリ圧力センシングおよび静電容量式圧力センシングが、さまざまなデバイスおよびデバイスコンポーネントに適用され、投与量獲得を可能にする。ＭＥＭＳ静電容量式圧力センシングは、ベルヌーイの原理を使用し、および／または、経験的ダルシ−ワイスバッハの等式が、フローセンシングエレメントの中の導管の直径を変化させることによって、圧力の変化を検出するために利用され、また、圧力は、異なる直径を有する導管のセクションの中にそれぞれ位置付けされている２つの静電容量式ＭＥＭＳ圧力センサを使用して測定される。本明細書に記載されている例示的な実施形態では、任意のタイプのＭＥＭＳフローセンシングが、磁気位置センシングの代わりに利用され得るということが理解されるべきである。本発明の実施形態は、ホール効果センシングおよびＭＥＭＳフローセンシングに限定されず、むしろ、任意の適切なセンシング技術が本発明の範囲内にあるということが理解されるべきである。
【００１６】
従来のホールセンサは、チップ表面に対して垂直な磁界に対してのみ感度が高く、すなわち、１次元または１Ｄである。また、３Ｄホールセンサは、有利には、チップ表面に対して平行な磁界に応答する。センサチップは、３つの磁気軸線のそれぞれに関する別々のセンサを有しており、単純な２極の磁石を磁界供給源として使用して、磁界データを絶対的な位置情報に変換する。リニアセンシングアプリケーションに関して、３Ｄホールセンサが２Ｄモードで使用されることとなる。リニアセンシングに関するこのシステムの１つの利点は、標準的な１Ｄホールセンサよりも大きく、磁石供給源とセンサとの間の分離を可能にすることである。
【００１７】
基本的な異方性磁気抵抗（ＡＭＲ）センサは、シングル飽和モードのホイートストンブリッジを使用し、典型的に、パーマロイ（Ｎｉ−Ｆｅ合金）から作製されており、センサ表面上を通過する磁束の方向に対して出力電圧を生成させる。したがって、それは、飽和モードで動作し、浮遊磁界からの干渉を回避し、また、それが感知する磁界は、チップの面を横切っており、ホールセンサの垂直磁界とは対照的である。ＡＭＲセンサは、チップ表面上を通過する磁束の方向とともに変化するアナログ出力電圧を生成させる。ＡＭＲセンサを飽和モードにするために必要とされる最小磁界は、典型的に、５０〜８０ガウスである。シングルエレメントＡＭＲセンサは、電圧−対−角度の出力が線形である場合に、動作の±４５°レンジを有している。
【００１８】
本発明の実施形態は、好ましくは、以下の機能的能力を満たしている。第１に、本発明の実施形態は、好ましくは、注入された製剤の量、および、注入イベントの時間を電子的に獲得する。第２に、それらは、好ましくは、獲得された注入イベントデータを注入された製剤のタイプと関連付けする手段を提供する。医薬品識別技術は、本発明の実施形態の中へ組み込まれ得る、それは、特許文献２、特許文献３、および特許文献４に記載されており、そのそれぞれの内容全体は、それらの全体が参照により本明細書に組み込まれている。第３に、それらは、好ましくは、ＭＤＩまたは輸液療法に関して利用される、既存の一般に処方される糖尿病製剤ペンおよび他のデバイスに適合可能である。第４に、それらは、患者ミーニングエンジン（patient meaning engine）などのような患者ソフトウェアの中で利用されることとなる、スマートフォンまたは同様のデバイスに適合可能な共通のデジタルフォーマットで、獲得されたデータを伝送する。患者ミーニングエンジンは、データを受け取り、それは、それに限定されないが、患者の血糖値、カロリー摂取量、運動、薬物投与量、および他の関連データの任意の組み合わせを含む。エンジンの１つの機能は、データの中の傾向をトラッキングし、フィードバックをユーザに提供し、患者の日常生活における患者の病気および療法の改善された理解を通して、患者セルフケアの有効性を強化することである。ミーニングエンジンは、フィードバックを患者に提供し、自己療法を促進させ、たとえば、食事時投薬などの投薬イベントの間に、改善された意思決定を可能にする。ミーニングエンジンによって与えられるこのフィードバックおよび追加的な洞察は、投薬イベントの間に十分な値を患者に提供し、行動修正に影響を与える。また、ミーニングエンジンは、情報またはアラートをヘルスケア提供者に提供することが可能であり、健康的な傾向からの偏差が識別され、先を見越して行動されるようになる。本明細書で規定されているようにミーニングエンジンを使用することは、医師の時間の効率的な使用を促進させ、コスト効率の良い結果までの最短経路を識別することとは対照的に、フェイル−ファースト（fail-first）に依存する悪い医療用治療レジメンを排除または低減させる。第５に、それらは、好ましくは、送達された投与量を感知してから１分以内に、獲得されたデータを患者ミーニングエンジンに伝送する。第６に、それらは、Ｔ１およびＴ２インスリンのすべての所定の形態、ならびに、経口投与レジメンから、データを獲得する。第７に、それらの精度は、好ましくは、注入標準ＩＳＯ１１６０８を満たす。ミーニングエンジンを利用する１つの例は、患者に関する新しい医薬品を滴定することである。患者は、送達されたインスリン投与量および一定期間にわたる血糖読み値を分析することに基づいて、毎週、数日ごとに、または、必要に応じて、投与量を調節することによって、遅効性インスリンなどのような新しい医薬品を始めて使用する。調節およびデータは、患者の医者に送られ、医者の時間を節約しながら、および、患者のために滴定プロセスを迅速に処理しながら、医者と患者との間のループを、毎日、または、必要に応じて、閉鎖することが可能である���当然のことながら、インスリンは、本明細書では、例として使用されており、任意の適切な医薬品が、薬剤投与量および血糖値などのような関連の要因をモニタリングすることによって同様に滴定され得る。
【００１９】
本発明の実施形態は、さらに、好ましくは、以下の追加的な基準を満たす。それらは、患者とともに実施され、いつでも、どこでも、使用され得る。それらは、好ましくは、糖尿病患者が通常搬送するアイテムの数を増加させない。それらは、血糖モニタ（ＢＧＭ）および経口薬剤順守デバイスなどのような、インフォマティクス使用可能な結果（ＩＥＯ）システムの中の他のエレメントに適合可能である。すなわち、システムの中のデバイス同士の間のデータ転送は、共通の通信プラットフォームを利用している。
【００２０】
本発明の実施形態は、好ましくは、患者が使用するのに容易である。すなわち、デバイスまたはシステム機能性は、好ましくは、高レベルのユーザ専門知識または重要なトレーニングを必要としない。本発明の実施形態は、患者の安全を改善し、好ましくは、決して患者の安全を妥協しない。
【００２１】
本発明の例示的な実施形態は、薬剤送達デバイスが投与送達情報を肯定的に獲得することを情報学的に可能にする。典型的に投与送達に関連付けられる以下のデバイスおよびデバイスコンポーネントは、インフォマティクス使用可能性のために適当である。バイアルまたは医薬品リザーバアタッチメントは、シリンジプランジャの移動を感知することが可能である。また、バイアルまたは医薬品リザーバアタッチメントは、バイアルまたはリザーバの中の医薬品のレベルを感知し、残っているボリューム、したがって、送達された投与量を決定することが可能である。ペンキャップは、磁気センシング手段によって、インスリンペンの中のプランジャの移動を感知することが可能である。磁気センサは、好ましくは、使い捨てのインスリンペンの中へ組み込まれ、プランジャ位置を決定する。一体型フローセンサを備えたスリーブが、インスリンペンとペンニードルとの間に設置され得る。再使用可能なペンに関するカートリッジが、センサを含み、カートリッジの中のプランジャ位置を決定することが可能である。カートリッジ充填器が利用され、センシングエレメントをカートリッジに取り付けることが可能である。再使用可能なカニューレハブの中へおよび再使用可能なカニューレハブからカニューレを交換する、インスリンペンの端部に取り付けられているメカニズムに、フローセンサが設けられ得る。ペンケースには磁気位置センサが設けられ、そのペンケースに戻されたときにインスリンペンの中のプランジャの位置を決定することが可能である。活性化（ボタン押圧）ごとにプリセットされた数のインスリンユニットを送達するように構成されているパッチポンプが、センサによってボタン押圧を感知するように構成され得る。インスリン「Ｉｎｓｕｐａｄ」と同様に、注入パッチは、異なる注入からフローセンサを通してフローを導くように修正され得る。また、Ｐａｔｔｏｎ  Ｍｅｄｉｃａｌによって提供されるデバイスと同様に、注入ポートは、同じ様式で修正され得る。インスリンバイアルまたは流体リザーバは、内部フローティング磁石および一体化された磁気センサを備えた外部スリーブを組み込むように修正され得る。任意のオール−イン−ワンタイプのデバイスには、本明細書で記載されているような適当なセンサが設けられ、投与量情報を獲得することが可能である。本明細書で使用されているように、「オール−イン−ワン」デバイスは、たとえばＢＧＭおよびインスリン投薬を送達するための方法を含むデバイス、または、ＢＧＭおよびボーラス計算機などのような、組み合わせデバイスであると理解されるべきである。少なくとも１つのセンサエレメントがシリンジプランジャおよび少なくとも１つのセンサに接続されている、シリンジに関するアタッチメントは、シリンジバレルに取り付けられている。
【００２２】
本発明の第１実施形態が、図１に示されており、図１は、インスリンバイアルおよび修正されたインスリンシリンジに関するアタッチメント１０２を示している。再使用可能なアタッチメント１０２は、インスリンバイアルに係合しており、好ましくは、インスリンが使い尽くされるまで、取り付けられたままとなる。バイアルアタッチメント１０２は、アナログ出力を伴う少なくとも１つのリニアホール効果センサ１０４、フレキシブルプリント回路基板アッセンブリ（ＰＣＢＡ）１０６、バッテリ１０８、電力管理システム１１０、Ｂｌｕｅｔｏｏｔｈ  Ｌｏｗ  Ｅｎｅｒｇｙ（ＢＬＥ）ワイヤレストランシーバ１１２、およびリアルタイムクロック（ＲＴＣ）１１４を含む。シリンジ１１６に関する製造プロセスの間に、ＲＦＩＤチップ１１８は、シリンジ１１６の中に設置され、永久磁石１２０は、ストッパまたはプランジャの中へオーバーモールドされる。代替実施形態では、磁石というよりもむしろ、スチールディスクまたはスラグ（slug）などのような、鉄系ターゲットが使用され、使い捨てのコストをさらに著しく低減させる。
【００２３】
鉄系ターゲットが利用されるときには、ホール効果センサ１０４は、好ましくは、磁石をホールセンサ１０４と一体化することによって逆バイアスをかけられており、範囲内の鉄系オブジェクトがホールセンサ１０４によって感知されることとなる。
【００２４】
バイアルアタッチメント１０２は、シリンジ１１６の中のＲＦＩＤチップを読み取り、シリンジバレルの内径（ＩＤ）を決定する。ホール効果センサ１０４は、プランジャの線形移動を測定し、投与量が、ＩＤおよびプランジャトラベルから計算される。投与量は、タイムスタンプされ、スマートフォンおよび／または「クラウド」もしくはインターネットにワイヤレスで転送される。あるいは、スマートフォン用のフォンアプリケーション（ＡＰＰ）が提供され、フォンカメラが、注入直前のシリンジの画像をキャプチャする。シリンジ直径は、シリンジバレルの外側にプリントされたバーコードもしくはＱＲコード（登録商標）など、または、比較測定、または、スマートフォンの一部である他の光学的な方法のいずれかによって認識されることとなり、注入直前のプランジャとノズルとの間の距離が、同じ方法によって決定され得る。以前の実施形態と同様に、これらの２つの値は、次いで、投与量を計算するために使用される。また、本明細書で記載されている多数の特徴が組み合わせられ、追加の実施形態を提供することが可能であり、たとえば、スマートフォンＡＰＰは、埋め込まれている磁石の位置を感知することによってプランジャの移動を測定するバイアルアタッチメントと組み合わせて、ＲＦＩＤチップに関する必要性を交換することが可能である。
【００２５】
図２Ａは、磁石がセンサの直ぐ近くを通るときに、上記に説明しているホール効果センサによって感知されるフラックス密度曲線を図示している。図２Ｂは、本発明の実施形態において使用されるホール効果センサの実質的に線形のアナログ出力電圧応答を図示している。ホール効果センサは、好ましくは、プロセッサに対する出力などのために、または、さらなる処理のために、線形の出力電圧をデジタル信号に変換する。
【００２６】
図３は、本発明の例示的な実施形態による情報学的に使用可能なバイアルアタッチメントを備えるシリンジおよびバイアルの断面図である。感知されることが意図される合計ストロークに応じて、複数のホール効果センサが使用され得るが、短いストロークに関しては、単に１つのホール効果センサが必要とされる。
【００２７】
本発明の第２実施形態が、図４に示されている。磁気ストリップ２０２が、シリンジプランジャの中へオーバーモールドされている。ストリップ２０２は、ストリップの長さにわたって、Ｎ極からＳ極へ繰り返し交互になる多数の磁極２０４を有している。第１実施形態のときのように、バイアルアタッチメントは、ＲＦＩＤチップを読み取り、プランジャの位置を感知し、注入されるインスリンのボリュームをワイヤレスで通信するために必要な構成部品を含むことである。この実施形態では、高分解能（位置精度）が、光学エンコーダにおいて使用されているものと同じ基本原理を使用して実現されている。すなわち、スタックされた磁石のセットが、一連のＮ磁極およびＳ磁極を形成しており、それらは、光学エンコーダの上の黒および白（または、不透明性および光透過性）の光学的なパターンと同様の様式で感知される。位置センサは、複数のホール効果センサを組み込む単一の集積回路であることが可能であり、複数のホール効果センサは、高分解能出力を伴って磁気ストリップのモーションを検出するように配置されており、高分解能出力は、マイクロコントローラと直接的にインターフェースをとることが可能である。そのような高分解能の磁気位置センサは、たとえば、Ａｕｓｔｒｉａ  Ｍｉｃｒｏ  Ｓｙｓｔｅｍｓ，ａｍｓ  ＡＧから入手可能である。マルチポールストリップと組み合わせて、単一の高分解能の磁気位置センサは、単一のセンサで任意の長さストロークに対応するために、センサの面を通過するポールペアを感知することが可能である。複数のホール効果センサを備える高分解能のシングルチップセンサは、有利には、コンパクトであり、リニアモーションセンシングおよび軸外回転式モーションセンシングの両方に関して使用され得る。これらのデバイスは、１５ミクロン（μｍ）まで下がる分解能を提供する。参考として、０．４７８ｃｍ内径を有する１ｍｌシリンジに関して、プランジャの５６μｍの変位は、０．１ユニットまたは０．００１ｍｌに等しくなる。
【００２８】
本発明の第３実施形態が、図５に示されており、図５は、使い捨てのまたは再使用可能なインスリン注入ペン５００を図示している。好ましくは微小電気機械システム（ＭＥＭＳ）フローセンサを含む、任意の適切なフローセンサが、情報学的に使用可能なインスリンペンを提供するために利用され得る。１つのタイプは、ＭＥＭＳマイクロコリオリ質量フローメータであり、それは、振動するチューブを利用し、チューブの中の質量フローの力を正確に測定する。第２のタイプは、ＭＥＭＳサーマル飛行時間型フローセンサなどのサーマルセンサである。それに加えて、絞り部の両側にあるＭＥＭＳ静電容量式圧力センサの対が使用され得る。ペンアタッチメント５０２は、再使用可能な部分５０４および使い捨て部分５０６を備える。再使用可能な部分５０４は、ペンキャップまたはスリーブであり、それは、インスリンペンの送達端部に取り付けられ、ペンの中のインスリンが使い尽くされるまで使用される。使い捨て部分５０６は、小さいシリンダの形状のプラスチック成形されたコンポーネントであり、流体チャネルの中へ一体化されたＭＥＭＳフローセンサを有しており、インスリンが、流体チャネルを通って流れる。使い捨てのＭＥＭＳシリンダは、ペンの端部に取り付けられており、ペンニードルは、ＭＥＭＳシリンダに取り付けられている。除去可能なまたは後退可能な端部キャップが、ＭＥＭＳシリンダを保護および露出させるために使用され、患者が使用時にペンニードルを交換することを可能にする。投与量は、好ましくは、送達の正確な時間に獲得され、データは、タイムスタンプされ、スマートフォンおよび／または「クラウド」もしくはインターネットにワイヤレスで転送される。
【００２９】
ＭＥＭＳセンサは、典型的に、製造業者によって事前にパッケージ化されている。上記に説明されているような従来のＭＥＭＳセンサは、必然的に非常に小さい特定のＭＥＭＳコンポーネントだけでなく、関連の電子機器および回路を含有している。しかし、本発明の実施形態では、小さいＭＥＭＳコンポーネントは、好ましくは、関連の回路から分離されている。このように、小さいＭＥＭＳコンポーネントは、使い捨てであることが可能であり、関連の回路は、再使用可能であることが可能である。図５に示されている実施形態では、たとえば、小さいＭＥＭＳコンポーネントは、使い捨てのフローセンサ５０６の中に位置付けされることとなるが、一方、関連の回路は、再使用可能なペンキャップ５０４の中に位置付けされる。この配置は、製造に関して著しいコストの利点を有している。例として、従来のＭＥＭＳセンサパッケージは、〜＄１０のコストがかかる可能性があるが、一方、小さいＭＥＭＳコンポーネントは、〜＄１未満のコストがかかる可能性がある。したがって、小さいＭＥＭＳコンポーネントを関連の回路からを分離することが有利であり、高価な部分が再使用され得る、高価でない部分が使い捨てされ得るようになっている。あるいは、磁石が、インスリンペンの中へ挿入するように適合されているインスリンカートリッジのプランジャに取り付けられ、または、その中に組み込まれている。１つの例示的な実施形態では、ホール効果センサが、ペンキャップの中へ組み込まれており、注入後にペンキャップペンの上に設置して戻されるときに、プランジャの位置を検出する。注入前および後のカートリッジプランジャの相対移動は、投与量に対応しており、それは、記録され、ログをとられ、好ましくは、さらなる処理およびフィードバックのために、クラウドベースのストレージなどのようなリモートデバイスに伝送される。別の例示的な実施形態では、ホール効果センサおよび関連の回路は、ペンケースの中に位置付けされており、カートリッジプランジャの相対移動は、インスリンペンがペンケースの中へ設置して戻されるたびに測定される。この実施形態は、ホール効果センサおよび関連の電子機器のために、ペンケースの中の利用可能な大量のスペースを使用するという利点を有している。ペンケースの中のカートリッジプランジャ位置は、たとえば、ＡＭＳ５４１０  ３Ｄホールセンサを利用して測定され得る。複数のセンサが、センサレンジ当たり４０ｍｍで、ペン注入器またはカートリッジに対するカートリッジプランジャの正確な変位を三角測量するために使用され得る。
【００３０】
リアルタイムで、すなわち、投与量が患者の組織の中へ注入されているときに、本明細書で説明されているシステムが投与送達を獲得することを可能にするために、システムエレメントのすべてが、投与送達のときに通信している必要がある。ペンニードルは、再使用可能なスリーブが取り付けられているときにリアルタイムで投与量を獲得し、以下の機能を提供する。その機能は、（１）投与量のボリュームと相関する感知されたデータを受け取ること、（２）投与量を計算すること、（３）投与量をタイムスタンプすること、（４）センサおよびこれらの機能のための電力を提供すること、ならびに、（５）また、同時にまたは後になって、クラウドの中の患者の記録などの、ＩＥＯ投与量獲得システムの中のどこかへ投与量およびタイムスタンプをワイヤレスで通信することである。インスリンペンのニードル端部をカバーし、プランジャ移動を感知する交換ペンキャップは、送達の正確な時間にプランジャの移動を感知する。すべてのシステムエレメントが送達のときに通信しているので、インスリンペンのノブ端部をカバーし、ノブ移動およびトラベルを感知するペンキャップは、好ましくは、投与量のリアルタイム送達を獲得することが可能である。
【００３１】
使い捨てのＭＥＭＳスリーブのコストを低減させるために、スリーブの中の構成部品、すなわち、インフォマティクス使用可能なペンスリーブへの電力接続およびデータ接続のためのＭＥＭＳチップおよび電気接点が最小化される。このデバイスは、プラスチックスリーブを含み、ＭＥＭＳチップおよび電気接点がプラスチックスリーブの中へ組み立てられ、それらは、保持コンポーネントおよびセプタムによって、スナップフィットされるか、オーバーモールドされるか、または締め付けられ、それは、ペンニードルによって係合されるときに、穿孔される。これらの２つの概念は、上記に説明されている実施形態と比較して追加的な利益を提供する。その理由は、たとえば、スマートペンキャップがペンの上に設置されて戻されるときなど、投与量が送達されたいくらか後で、それらが、シリンジを充填するためのプランジャ移動の時間、または、インスリンペンのプランジャの変位と比較して、実際の送達の時間を獲得するからである。
【００３２】
また、上記に説明されている実施形態は、Ｐａｔｔｏｎ  Ｍｅｄｉｃａｌ注入ポートなどの注入ポートに適用可能である。注入ポートとともに使用するための実施形態は、完全に使い捨てのものであるか、または、使い捨てのコンポーネントおよび再使用可能なコンポーネントの組み合わせであることが可能である。上記に説明されているＭＥＭＳセンサのいずれかが、注入ポートの中の流体経路の中へ挿入され、上記に説明されているインフォマティクス使用可能なスリーブの中に設けられている構成部品および知能は、ポートの外周部の中の注入ポートの中へ、すなわち、シリンジが係合することとなるセプタムを取り囲むエリアに、組み込まれることとなる。注入ポートに関する好適な実施形態は、使い捨ての／再使用可能な設計であり、その設計において、使い捨て部分は、接着剤、接着剤が取り付けられるハウジングの一部分、ならびに、ＭＥＭＳセンサ、および、センサからインフォマティクス使用可能な再使用可能な部分への電気的な接続部を含む、流体経路を含むコンポーネントを含み、それは、インフォマティクス使用可能なスリーブの中の上記に説明されているすべての構成部品を備える。また、上記に議論されているように、医薬品識別技法は、特定の医薬品が投与されていることを検証するために組み込まれ得る。
【００３３】
本発明の別の実施形態が、図６に図示されており、図６は、再使用可能なペン６００または使い捨てのペン６００のいずれかのためのインフォマティクス使用可能なアタッチメント６０２を図示している。この実施形態は、ペンの調節端部に係合している。より具体的には、インフォマティクス使用可能なスリーブ６０２の上の回転ターンノブ６０４は、ペンの上の調節ノブ（図示せず）に係合しており、インフォマティクス使用可能なアタッチメントのスリーブ部分６０２は、ペンのバレルの外径の上をスライドし、それに係合している。この実施形態の１つの代替例では、ノブの直径の周りに軸線方向に位置付けされているオーバーモールドされた金属スプラインが、リングカウンタ構成体と同様に、近接センシングのために使用され、リングカウンタ構成体は、ギヤ歯、または、このケースではスプラインがセンサの前を通るときに、それらをカウントするために近接センサを利用する。図７に示されているこの実施形態の別の代替例では、マルチポールの環状磁気リング７０２が、ホール効果センサ７０４と組み合わせて使用されている。キャップの回転モーションおよび方向が、回転ホール効果センサまたはＭＲセンサによって決定される。方向を決定することは、Ａｌｌｅｇｒｏ  Ａ１２３３などの２つのセンサデバイス、または、ａｍｓ  ＡＳ５３０４／５３０６などの４つのセンサチップを必要とする。ＡＭＲセンサは、方向および３６０度センシングを提供するために、単一のホール効果センサとの一体化を必要とする。光学エンコーダが、回転磁石システムの代わりに使用され得るということが理解されるべきである。
【００３４】
図８は、ＳＭＡＲＴ固定投与ペンの例示目的の実施形態であり、それに関して、システムの中の知能が低減されており、すなわち、投与量がプリセットされており、それぞれの投与量が同じであるので、作動／送達の時間だけが獲得される必要があり、したがって、上記に説明されているホール効果センシング配置は必要とされない。図９は、調節可能な投与ペンまたは固定投与ペンのいずれかの別の説明図である。図１０および図１１は、インフォマティクス使用可能な機械的なパッチペンの実施形態を図示している。本明細書で使用されているように、「パッチペン」という用語は、食事時インスリン送達に関して主に利用されるデバイスをユーザが手動で作動させるたびに、単に固定投与量でインスリン送達を提供する、身体に装着されるデバイスを表している。好ましくは、磁気フラグまたは金属フラグが、機械的なパッチペンの中の機械化またはリンケージの中へ組み込まれている。インフォマティクス使用可能なアタッチメントは、パッチペンの中へ一体化されており（そのケースでは、それは使い捨てである）、または、パッチペンに係合する別々のエレメントの形態であることが可能である（そのケースでは、それは再使用可能である）。１つの実施形態では、電動化された「ポンプエンジン」、すなわち、リザーバから注入／輸液部位へインスリンを移送するために使用される流体ドライバが、１サイクル当たり２．０ユニットを送達する。電動化されたポンプエンジンは、２０１４年４月７日に出願された特許文献５にさらに詳細に記載されており、その内容全体は、参照により本明細書に組み込まれている。このポンプエンジンは、モータを排除するように修正され、機械化を提供し、機械化は、ユーザがポンプの外部に位置付けされている１つまたは複数のボタンを強く押すまたは押し下げることによって、ポンプエンジンを駆動することを可能にし、また、このポンプエンジンは、パッチペンの中のリンケージの上に位置付けされている磁気フラグまたは金属フラグを含み、それは、インスリンの２．０ユニットがユーザによって手動で送達されるたびに、インフォマティクス使用可能なアタッチメントによって感知される。上記に説明されている磁気的なセンシング解決策のいずれか、光学的なセンシング、または、任意の適切なセンシング技術が、センシングのために利用され得る。追加的に、同様の手動で駆動される機械化を備える同じポンプエンジンが、インスリン（または、他の医薬品）ペンの中の送達を作動させるために利用され得る、およびそれぞれの作動によって固定投与量を提供し、それぞれの投与の量および時間を記録する。
【００３５】
ペンケースは、クリーンでシールされたコンテナを提供し、コンテナの中に、ユーザは、インスリンバイアル、インスリンペンまたはシリンジ、ペンニードル、ランサおよびランセット、ならびにアルコール消毒綿などの、それらの注入送達デバイスおよび消耗品を保管することが可能である。ペンケースは、リジッドであるか（すなわち、設計が宝石箱に類似する、硬い外部シェルを有している）、または、可撓性であるか（すなわち、ペンシルケースと同様に、可撓性のポーチ）のいずれかであることが可能である。図１２は、本発明の別の実施形態による、インフォマティクス使用可能なリジッドのペンケース１２００を図示している。インフォマティクス使用可能なペンケースは、デバイスが使用されていないときに、患者のシリンジまたはインスリンペンを保管する。ペンケースの中のネストまたはキャビティは、ユーザがケースの中へペンを置くたびに、ペンを位置合わせまたは位置付けするために使用される。ペンケースが閉じられるたびに、ペンケースの中のホール効果センサが、プランジャの相対位置を決定し、それによって、患者に送達される投与量を決定する。再使用可能なペンに関して、インスリンカートリッジは、一方の側に感圧接着剤（ＰＳＡ）を有するワッシャ形状のエレメントなどの、磁気フラグまたは金属フラグ（それは、カートリッジの中のストッパの露出された表面の上に押し付けられる）、および、場合によっては、ＲＦＩＤチップ、または、バーコードなどのいくつかの他の手段を含み、インスリンカートリッジのＩＤならびに医薬品のタイプおよび濃度を伝えるように修正されることが必要であることとなる。磁気エレメントまたは金属エレメントは、好ましくは、製造の間に、ストッパ／プランジャの中に組み込まれている。動作時に、ペンがケースの中へ設置されるたびに、ペンケースの中のセンサは、ストッパの位置を検出するようにスキャンし、現在の位置および以前の位置を比較し、送達された投与量を決定する。データは、タイムスタンプされ、ケースの中に記憶され、スマートフォンおよび／またはクラウドに定期的に転送される。ペンケースの１つの利点は、インフォマティクス使用可能コンポーネントをその中に構成させるために利用可能なスペースのボリュームであり、それは、既製（ＯＴＳ）バッテリ、リジッドＰＣＢＡ、大きいフットプリントのアンテナ、ＲＦＩＤリーダ、大きいユーザインターフェース（ＵＩ）（タッチスクリーン、キーパッド、または可聴コマンドからの入力を受け入れ、患者に関するデータ、アラート、および警告をディスプレイに提供する）などの、安価で高性能のコンポーネントを組み込むことによって、コストを低減させ、解決策の性能を改善することが可能である。可撓性のペンケースの使用を可能にするために、２つの磁石がシリンジまたはインスリンペンの中へ組み込まれており、一方は固定されており、他方は、可動プランジャの上にある。ペンが可撓性のケースの中へ設置されるたびに、２つの磁石の間の直線距離および相対距離が感知され、投与量が計算されることを可能にする。また、この概念は、上記に説明されているように、ペンケースの中に保管される再使用可能なペンおよびインフォマティクス使用可能なペンの中で利用されるインフォマティクス使用可能なカートリッジに適用可能である。任意の適切なセンシング技術が利用され得る、とりわけ、磁気誘導センシングが、ペンケースの中のセンシングに適切な１つの代替例であるということが理解されることとなる。磁気誘導変位センサは、誘導センサコイルを使用することによって動作し、磁石が移動するときに磁界の変化を検出する。それは、磁石サイズに応じて、最大６０ｍｍのレンジを有するヘッドオンセンシングにおいて使用され、それは、ペンケースの中へ設置された後に、インスリンペンのプランジャピストンまたはシリンジの中へ組み込まれている磁石の位置を検出するために使用される。
【００３６】
図１３は、シリンジの中へ投与量を引き込むことがさらに可能となる、インフォマティクス使用可能なペンケースを図示している。ペンケースのこの実施形態は、シリンジを位置合わせするための、すなわち、２つの軸線の上にシリンジを正確に位置付けするためのクランピングシステム１３０１と、インスリンバイアルを位置合わせするためのネストまたはクレードルと、把持してシリンジプランジャの移動を制御するための第２のクランピングシステムとを含む。動作時に、ユーザは、ペンケースの中のインスリンバイアルに隣接して、シリンジをネストの中へ置き、ケースを閉じ、送達されることとなる投与量をＵＩの中へ入力する。ケースの中の２つの別々のクランピング構成体が、シリンジを把持する。第１のクランプシステムは、シリンジを把持し、シリンジニードルに係合するようにシリンジをインスリンのバイアルの中へ前進させる。第２のクランプシステムは、プランジャを移動させ、インスリンの正しい投与量を引き込む。シリンジは、自動的にまたは患者によってのいずれかで、バイアルから後退させられる。同じ構成体が、インスリンバイアルの中に正圧を生成させるために利用され得る。配向センサまたはジャイロセンサが、空気パージまたはインスリン引き込みのためのペンケースの適正な配向を確認するために使用され、それに従ってペンケースを配向させるようにユーザを促すことが可能である。例示的なスマートペンケースは、特許文献６に記載されており、その内容全体は、本明細書に組み込まれている。
【００３７】
本明細書で説明されているすべての実施形態と同様に、それぞれの注入は、好ましくは、電子的なログブックの中に記録およびタイムスタンプされ、患者による検討のために、ラップトップコンピュータ、携帯電話、または、他のユーザインターフェースなどの、周辺モニタデバイスに定期的に転送される。あるいは、データは、コンピュータネットワークを介して、クラウドへ、および、クラウドから患者のヘルスケア提供者へ伝えられ得る。バイタルサインモニタ、フィットネスモニタまたは、アクティビティートラッカ、および持続血糖モニタ（ＣＧＭ）などの、補助デバイスをシステムの中へ組み込むことによって、インフォマティクス使用可能なインスリンペンケースの機能性は、さらに拡張され得る。
【００３８】
別の実施形態は、「オール−イン−ワン」または組み合わせデバイスの形態をとる。市販されているオール−イン−ワンデバイスの１つの例は、ＬａｂＳｔｙｌｅ  Ｉｎｎｏｖａｔｉｏｎｓ製のＤａｒｉｏである。Ｄａｒｉｏは、血糖測定器、ランセット、ストリップディスペンサ、および、ＩＯＳまたはＡｎｄｒｏｉｄのいずれかのためのフォンアプリケーションを、コンパクトなデバイスの中へ一体化している。上記に説明されているペンケース実施形態と同様に、オール−イン−ワンデバイスは、上記に説明されているインフォマティクス使用可能構成部品を組み込むのに十分なサイズおよびボリュームを有しており、情報学的に使用可能なインスリンペンまたはシリンジが取り付けられることを可能にし、すなわち、ペンまたはシリンジのためのネストまたはホルスタを提供することによって、オール−イン−ワンハウジングに物理的におよび電気的に係合されることを可能にする。このケースでは、接続は、ペンまたはシリンジの保持、および、データの転送を提供する。そのようなデバイスは、たとえば、特許文献７に記載されており、その内容全体は、参照により本明細書に組み込まれている。あるいは、低エネルギＢｌｕｅｔｏｏｔｈ（ＢＬＥ）または近距離無線通信（ＮＦＣ）などの、ワイヤレス通信解決策が、スマートフォンに直接的に通信するために利用され得る。パーソナルエリアネットワークの中の他のオンボディデバイスと通信するスマートフォンデバイスの例が、特許文献８に説明されており、その内容全体は、参照により本明細書に組み込まれている。
【００３９】
別の実施形態は、インフォマティクス使用可能な再使用可能なペンと関連して使用される、インフォマティクス使用可能なインスリンカートリッジである。インスリンカートリッジは、一方の側に感圧接着剤（ＰＳＡ）を有するワッシャ形状のエレメントなどの、磁気フラグまたは金属フラグ（それは、カートリッジの中のストッパの露出された表面の上に押し付けられる）、およびＲＦＩＤチップ、または、バーコードなどのいくつかの他の手段を含むように修正され、インスリンカートリッジのＩＤ、ならびに、特定の医薬品タイプおよび濃度を伝える。カートリッジは、再使用可能なペンに関するインフォマティクス使用可能なアタッチメントに関連して働くこととなる。あるいは、磁界強度は、異なるカートリッジの間を区別するために使用され得る、使い捨てのデバイスの上のＲＦＩＤチップ、および、インフォマティクスシステムの中のＲＦＩＤリーダのための必要性を排除する。カートリッジは、好ましくは、製造プロセスの間に、充填プロセスに続いて、または、家庭用に設計されているカートリッジ充填プロセスの一部として、患者によって手動でもしくは自動的のいずれかで、修正される。
【００４０】
図１４は、本発明の例示的な実施形態による情報学的に使用可能なシリンジスリーブを図示している。シリンジスリーブ１４００は、複数の磁気位置センサ１４０２を含む。シリンジ１４０４は、埋め込まれているＲＦＩＤチップ１４０６および磁石１４０８を有しており、磁石１４０８は、投与量を決定するために、ホール効果センサ１４０２によって感知される。当然のことながら、当業者によって理解されることとなるように、本明細書で議論されているものなどの任意の適切なセンシング方法が、磁気位置センシングの代わりに使用され得る。
【００４１】
別の実施形態では、外部電極が、インスリンリザーバに取り付けられており、可変の静電容量値が、リザーバの流体レベルに基づいて感知される。電極は、好ましくは、製造の間に任意のインスリンリザーバの上にプリントされており、また、インスリンリザーバに取り付けられるストリップとして製造され得る。あるいは、図１５に示されているように、インフォマティクス使用可能なスリーブ１５００には、電極１５０２が設けられており、電極１５０２は、内径の上に設けられており、また、ペン、シリンジ、バイアル、またはパッチポンプに取り付けられるときに、リザーバに接触することとなる。電極１５０２は、スリーブの上にプリントされ、または、任意の他の適切な様式で製造され得る。電極１５０２は、好ましくは、バイアルの中のインスリンのボリュームに対応する寸法に広がっている。この実施形態では、スリーブ１５００およびストリップ１５０２は、有利には、再使用可能である。情報学的に使用可能なインスリンバイアルの別の実施形態では、静電容量センサの電極は、バイアルアタッチメントの中へ組み込まれており、バイアルアタッチメントがバイアルに係合されるときに、電極ストリップがバイアルと軸線方向に密接接触するようになっている。
【００４２】
図１６は、本発明の例示的な実施形態による情報学的に使用可能なバイアルスリーブ１６００を図示している。図示されているように、フローティング磁気リング１６０２が、薬剤バイアル１６０４の内側に設けられている。リング磁石外径は、バイアルの内径よりもわずかに小さく、リングが、バイアルの中の流体レベルに従って、バイアルの中を自由に移動するようになっている。リング磁石１６０２は、好ましくは、容器をシールする前に、医薬品バイアルの中へ設置される。また、典型的なインスリンバイアルは、リジッド磁気リングを収容するように修正され得る、または、可撓性の磁気リングは、コイルの中に包まれており、標準的なバイアルネックを通してバイアルの中へ挿入され得る、バイアルの内径よりも小さい直径までコイルが挿入後に巻き戻ることを可能にする。インスリンバイアルのケースでは、リング磁石は、好ましくは、ポリマなどのインスリン適合性材料でコーティングされており、それは、インスリンに適合可能であり、また、リングが浮かぶことを可能にするのに十分な厚さおよび全体的な浮力のものである。図示されているように、リングのレベルは、ホール効果センサなどのような、リニア磁気位置センサによって感知される。
【００４３】
図１７は、本発明の例示的な実施形態による別の情報学的に使用可能なバイアルスリーブ１７００を図示している。この実施形態では、浮遊する磁気ビーズ１７０２が、インスリンバイアル１７０４などの医薬品バイアルの中の流体のレベルを感知するために利用されている。スマートバイアルスリーブ１７００が設けられており、薬剤バイアル１７０４に取り付けられている。バイアルスリーブ１７００は、インスリンの表面の上に浮遊する磁気ビーズの層を感知する。ビーズは、それらが投与量の中へ引き込まれることができないように十分な直径のものになっている。すなわち、ビーズ１７０２は、バイアルからインスリンを引き出すために使用されるニードルまたはカニューレまたはシリンジよりも直径が大きくなっている。有利には、ユーザは、磁気ビーズ１７０２を製造後の任意の薬剤バイアルに追加することが可能であり、スマートバイアルスリーブ１７００を可能にする。１つの実施形態では、磁気ビーズは、製造の際の充填プロセスの間にインスリンバイアルに追加される。別の実施形態では、充填されたインスリンバイアルが、磁気ビーズを充填されたシリンジとともに出荷され、シリンジは、好ましくは、ビーズをバイアルの中へ注入するために大きいカニューレを有している。シリンジのカニューレ、または、インスリンをシリンジから引き出すために使用される他のデバイスは、ビーズよりも小さくなっており、ビーズが注入デバイスの中へ引き込まれることを防止する。使用される磁気ビーズの数は、好ましくは、バイアルの内側の液体薬剤の表面の大部分を実質的にカバーするのに十分になっている。バイアルスリーブアタッチメントは、ホール効果センサ、ＭＲまたはＡＭＲセンサなどの、リニア磁気位置センサを利用し、バイアルの中の浮遊する磁気ビーズの位置に従って、バイアルの中に残っている流体のレベルを検出する。
【００４４】
図１８Ａおよび図１８Ｂは、本発明の例示的な実施形態によるシリンジ１８０２に外部から取り付けられているリニア磁気位置決め構成体１８００を図示している。シリンジアタッチメント１８００は、シリンジ１８０２に都合よく取り付けられており、標準的なシリンジが修正なしに利用され得るようになる。第１のアタッチメントは、シリンジ１８０２に取り付けられる少なくとも１つの磁石１８０４を含み、第２のアタッチメントは、ホール効果センサ、ＭＲセンサ、またはＡＭＲセンサなどの、リニア磁気位置センサ１８０６を含み、磁石１８０４の位置を検出する。第１のアタッチメント１８０４は、シリンジプランジャに接続しており、第２のアタッチメント１８０６は、シリンジバレルに接続しており、プランジャの移動がトラッキングされ、送達された投与量を決定するようになっている。スマートシリンジアタッチメント１８００は、好ましくは、プランジャの「ホーム」位置、すなわち、プランジャが完全に前進させられており、流体送達が可能でない位置を認識する。実際には、シリンジプランジャは、単一の投与送達サイクルの間に何回も後退および前進させられ得る。投与送達に関連付けられる移動を、他のプランジャ移動から、たとえば、バイアルの中へ空気を注入するために使用される移動などから識別するために、スマートアタッチメント１８００は、シリンジが使用されるたびに、プランジャ移動の完全なサイクルを分析し、プランジャが最終的にホーム位置まで前進するときに、最終的な移動から、および、投与送達サイクルにおいて感知された他のエレメントから、送達された投与量を識別する。
【００４５】
図１９Ａは、本発明の例示的な実施形態によるスマート注入ポート１９００を図示している。例示的なスマート注入ポートは、好ましくは、下側ハウジング１９０２および上側ハウジング１９０４を含む。下側ハウジングは、接着表面１９０６を含み、患者の皮膚１９０８へのスマート注入ポートの取り付けを促進させる。セプタム１９１０が、上側ハウジング１９０２と下側ハウジング１９０４との間に配置されている。セプタム１９１０は、患者の皮膚１９０８の中へ挿入されるカニューレ１９１２へのアクセスを提供する。セプタム１９１０は、注入シリンジなどによって穿孔され、それぞれの注入のたびにニードルの突き刺しを必要とすることなく、カニューレ１９１２を通して患者の中へインスリンを注入することが可能である。スマート注入ポート１９００は、セプタム１９１０とカニューレ１９１２との間の流路の中に配置されているＭＥＭＳフローセンサ１９１４を含む。ＭＥＭＳフローセンサ１９１４は、注入ポート１９００のエリア１９１６の中に位置付けされている関連の電子機器に電気的に接続されている。関連の電子機器は、電源、プロセッサ、および、フロー測定値をリモートデバイスに伝送するためのワイヤレストランシーバを含む。ハウジング１９０２は、好ましくは、使い捨てのものであり、また、ＭＥＭＳフローセンサ１９１４を含む。ハウジング１９０４は、好ましくは、再使用可能であり、また、エリア１９１６の中に関連の電子機器を含む。ＭＥＭＳフローセンサは、好ましくは、サーマル飛行時間型センサであるが、任意の適切なＭＥＭＳフローセンサを用いることも可能である。
【００４６】
図１９Ｂは、従来のシングルパッケージのＭＥＭＳフローセンサ１９２０を図示している。シングルパッケージのＭＥＭＳフローセンサにおいて、実際のＭＥＭＳセンサ１９２２は、関連の電子機器１９２４と組み合わせられている。ＭＥＭＳセンサ１９２２は、少なくとも１つのヒータ、少なくとも１つのセンサ、およびフローチャネルを含み、インスリンなどの流体がフローチャネルを通って流れる。関連の電子機器１９２４は、シングルパッケージの中のＭＥＭＳセンサ１９２２に電気的に接続されており、集積回路、プロセッサ、電源、およびワイヤレストランシーバーチップなどを含む。
【００４７】
図１９Ｃおよび図１９Ｄは、改善されたＭＥＭＳフローセンサ１９３０を図示しており、ＭＥＭＳフローセンサ１９３０は、比較的に低コストの使い捨てのパーツだけを含み、それは、インスリンなどとの接触に起因して、使用のたびに交換されるべきである。図１９Ｃに図示されているように、ＭＥＭＳフローセンサ１９３０は、入力フローチューブ１９３４を備える入力側部１９３２を含み、インスリンなどの液体が、入力フローチューブ１９３４を通ってＭＥＭＳセンサエレメント１９３６（図１９Ｄに示されている）へ流れる。ＭＥＭＳフローセンサ１９３０は、出力フローチューブ１９４０を備える出力側部１９３８をさらに含み、インスリンなどの液体が、ＭＥＭＳセンサエレメント１９３６から出力フローチューブ１９４０を通って下流のエレメントへ流れる。図１９Ｄに示されているように、ＭＥＭＳフローセンサ１９３０は、上記に説明されているように、ＭＥＭＳセンサエレメント１９３６を関連の電子機器に接続するための電気接点１９４２を含む。関連の電子機器は、たとえば、集積回路、プロセッサ、電源、およびワイヤレストランシーバーチップを含む。関連の電子機器は別々にパッケージ化されているので、それらは、例示的な薬物送達デバイスの中の再使用可能なエレメントの中へ組み込まれており、したがって、全体的なコストを著しく低減させることが可能である。
【００４８】
図２０は、本発明の例示的な実施形態によるシステムを図示している。システム２０００は、データを獲得するためのさまざまなコンポーネント、ならびに、データを受け取るための、および、データについての計算を実施するための、少なくとも１つの計算エレメントを含む。図示されているように、例示的なシステムは、好ましくは、炭水化物入力エレメント２００２、経口薬入力エレメント２００４、ならびに、血糖モニタ（ＢＧＭ）２００６および／または持続血糖センサ（ＣＧＭ）２００８を含む。システムは、好ましくは、ウェルネスデータ入力エレメント２０１０を含む。最後に、システムは、好ましくは、本明細書で説明されているような投与量獲得デバイス２０１６のさまざまな実施形態のうちの１つを含む。例として、スマートペン２０１６が図示されている。一緒になって、これらのデバイスは、改善された糖尿病管理に関して、糖尿病などの病気を有する患者をモニタリングするために必要とされる重要な関連データを入力する。例示的な炭水化物入力デバイス２００２は、ユーザの携帯電話２０１１などの上で稼働するアプリであることが可能であり、それは、消費した食べ物および飲み物を患者に入力させる。同様に、同じまたは関連のアプリは、経口薬入力エレメント２００４としての役割を果たすことが可能であり、ユーザが摂取された経口薬をトラッキングすることを可能にする。それに加えて、経口薬入力エレメント２００４は、薬物を取り込むようにユーザに警告するように自動化されており、取り込まれた経口薬に関連するデータを確認してセキュアハブ２０１２に自動的に伝送することが可能である。ＢＧＭ２００６および／またはＣＧＭ２００８は、好ましくは、血糖読み値をデータハブデバイス２０１２に直接的に通信する。ウェルネスデータは、別々のデバイス２０１０によって、または、上記に説明されているものと関連のアプリもしくは同じアプリによって、入力され得る。本明細書で説明されている例示的な実施形態による、投与送達情報デバイス２０１６は、好ましくは、患者の中へ注入されたインスリンなどの投与量情報を、リアルタイムでまたはほぼリアルタイムで送達する。データのすべてが、上記に議論されている１つまたは複数のアプリを稼働させる携帯電話２０１１などのスマートデバイスによって、ローカルに受け取られる。炭水化物入力エレメント２００２、経口薬入力エレメント２００４、ウェルネスデータ入力エレメント２０１０、携帯電話２０１１、およびデータハブ２０１２は、別々のエレメントとして示されているが、それらのすべてのまたは任意の組み合わせが、単一の携帯電話または同様のコンピューティングデバイスの中へ組み合わせられ得るということが理解されるべきである。データが分析され、計算が、スマートデバイスおよび／またはスマートフォン２０１１によってローカルに実施され、データハブ２０１２が使用され、クラウドストレージサーバなどのリモートサーバに、安全に、すなわち、暗号化して、データを伝送し、そして、受け取られたデータのすべてについて計算を実施し、フィードバックをユーザに提供し、データのすべてまたは一部分をクラウドストレージなどのリモート健康管理アクセスポイント２０２０に送り、リモート健康管理アクセスポイント２０２０において、情報は、患者の医師、介護者、薬剤師、および家族などの、ヘルスケアステークホルダ（healthcare stakeholders）によってアクセスされ得る。逆に、アラート、リマインダ、および介入が、たとえばＨＣＰなどのユーザのネットワークによって、データハブ２０１２を通して安全に提供され得る。
【００４９】
本発明の実施形態は、いくつかの特徴を含む。第１のものは、投与量獲得であり、それは、送達されたインスリンのボリュームおよびタイムスタンプを測定する。この情報は、好ましくは、患者に対して透過的な様式で獲得される。第２のものは、データ転送であり、それは、たとえば、投与量獲得デバイスとユーザインターフェース（ＵＩ）との間、または、患者とヘルスケア提供者との間などの、異なるインターフェースにおいて起こる。追加的な機能は、患者、ＰＣＰなどのヘルスケア提供者、内分泌科医、もしくは看護師養成教員、または、家族メンバーもしくは糖尿病サポートネットワークなどの別のリスク負担エンティティへの、データ転送を含む。ＢＧＭデータ／ＣＧＭデータは、組み込まれ、測定され、およびタイムスタンプされ得る。食事および運動などのライフスタイルデータが、獲得されて考慮され得る。本発明の実施形態は、好ましくは、フィットネスモニタおよび栄養学アプリに適合可能である。本発明の実施形態は、好ましくは、役に立つアラート、警告、推奨、介入、知的決定、たとえば、傾向分析、予測、および治療的な修正などを提供する追加的な知能を含む。最後に、本発明の実施形態は、経口薬を組み込みまたは考慮することが可能である。好ましくは、本発明の実施形態は、スマートピルコンテナなどのような経口薬順守デバイスに適合可能である。
【００５０】
輸液ポンプ療法における最近の進歩は、１日複数回注入（ＭＤＩ）セグメントの成長率を低減させたが、インスリン療法を受けている糖尿病患者の圧倒的大部分は、主に、使い捨てのインスリンペンによって、ＭＤＩによる送達を受け続けている。
【００５１】
情報学的に使用可能な使い捨てのシリンジまたはインスリンペンに必要なコンポーネントを組み込むコストは低減され得る、デバイスの情報学的に使用可能な部分が、インスリンペンの上の交換キャップの中などにおいて、再使用され得る、または、「ユニバーサル」ニードルハブへのニードルカニューレなどの交換などの、使用当たりの追加コストが許容可能となるように、使い捨てのデバイスの使用の数が増加させられ得る。そのようなハブは、たとえば、特許文献９に説明されており、その内容全体は、参照により本明細書に組み込まれている。デバイスのサイズの増加は、別の考慮事項である。修正されたデバイスがハンドバッグまたはパックの中で運ばれる必要があるように、付属品をインスリンペンに追加すること、または、ペンキャップを修正すること、および、より大きくて魅力的でない外皮を生成させることは、望ましくない。別の事項は、現在最も市販されているインスリンペンとともに利用され得る万能的な解決策を生成させるということである。
【００５２】
上記の基準を満足する好適な実施形態は、インフォマティクス使用可能なインスリンペンケースであり、それは、送達された投与量を獲得するためにいくつかの異なる方法を利用することが可能であり、それは、たとえば、ペンがケースの中に設置されてケースが閉められるたびに、インスリンペンの重量を計測することなどがある。ケースは、必要な電子機器を組み込むのに十分なスペースを提供しており、また、場合によっては、必要とされるものよりも多くのスペースを有することによって、設計は、リジッドＰＣＢＡ、商品化されている使い捨てのバッテリ、低電力データ伝送および組み立ての容易さのための大きいフットプリントのアンテナオプションなどの、安価な電子機器を利用するように調整され得る。
【００５３】
投与量獲得に加えて、情報学的に使用可能な薬物送達デバイスは、追加的な機能を実施することが可能である。たとえば、スマートキャップを備えた情報学的に使用可能なインスリンペンは、インスリンペンとともに使用するための特定のペンニードルを識別することが可能である。さらに、情報学的に使用可能なインスリンペンは、有利には、意図しない使用を低減または防止することが可能である。図２１は、第１の例示的なシステム２１００を図示しており、第１の例示的なシステム２１００は、インスリンペン２１０２、スマートペンキャップ２１０４、使い捨てのペンニードル２１０６のパッケージ、および、アプリケーションを稼働させるスマートフォン２１０８を含む。スマートフォンのカメラを使用して、ペンニードルパッケージバーコード２１１２（または、任意の適切な識別）が、携帯電話によって読み取られる。そして、携帯電話２１０８は、クラウドベースのデータベース２１１０と通信し、製造業者によるペンニードルパッケージ、ユニットサイズ、ロット数、および、バーコードによって識別される他の要因を検証する。携帯電話２１０８は、リアルタイムでまたはほぼリアルタイムで、バーコード有効性を確認することが可能であり、または、あるいは、クラウドベースのデータベースを定期的に調査し、有効なバーコードの完全なリストおよび関連付けられる情報をダウンロードすることが可能であり、バーコードがスキャンされるときに、クラウドベースのストレージとの通信が必要でないようになっている。この実施形態では、バーコード２１１２は、すべてのペンニードルパッケージの上に静止してプリントされており、したがって、再使用されることとなる。
【００５４】
図２２に図示されている別の実施形態では、システム２２００は、一意性バーコード２２０２（または、任意の適切な一意性識別子）を刷り込まれているペンニードルパッケージ２１０６を含む。携帯電話２１０８は、一意性識別子２２０２をスキャンするために使用され、クラウドベースのデータベース２１１０と通信し、一意性識別子２２０２が実際に一意性であり、かつ、有効のままであるということを確認する。そのようなシステムは、有利には、必要に応じて回収することを支援するために使用され得る、承認されていないペンニードルの使用を防止する。上記に説明されている例示的なシステムのいずれにおいても、ダウンカウンタが、好ましくは、識別されたパッケージの中の使い捨てのペンニードルの数に対してセットされ、カウンタがゼロに到達した後に（パッケージが使い尽くされたはずであるということを示している）、特定の機能が制限される。たとえば、スマートキャップは、ニードルパッケージが使い尽くされると、および、新しいパッケージが承認されるまで、送達された投与量のログをとることを停止することとなる。
【００５５】
別の例示的なシステム２３００では、スマートスリーブ２３０２が、使い捨てのペンニードル２１０６のそれぞれのパッケージの中に設けられている。スマートスリーブ２３０２は、ペンニードルに接続されており、スマートスリーブは、ＲＦＩＤチップを含有している。ＲＦＩＤチップは、スマートキャップ２１０４または携帯電話２１０８のいずれかによって読み取られ、ペンニードルパッケージを検証することが可能である。有利には、スマートスリーブ２３０２は、キャップがインスリンペン２１０２の上に設置されるたびに、スマートキャップ２１０４によって読み取られる。スマートキャップ２１０４がＲＦＩＤチップを読み取る場合には、チップ情報は、好ましくは、スマートフォン２１０８に伝送され、そして、スマートフォン２１０８は、上記に説明されている例において議論されているように、クラウドベースのデータベース２１１０と通信する。ＲＦＩＤチップは、好ましくは、ロット情報、製造日、および、任意の他の適切な情報を含み、ペンニードルパッケージの上の印刷スペースを必要としない。上記に提供されている例と同様に、パッケージ２１０６の中に提供されている使い捨てのペンニードルが使い尽くされたはずであるとき、ダウンカウンタが、好ましくは、より高いレベルの機能を制限するように提供されている。スマートスリーブ２３０２は、好ましくは、ペンおよびペンニードルの上の既存のネジ山付きのインターフェースを使用して、インスリンペン２１０２とペンニードルとの間のインターフェースを形成している。すなわち、スリーブは、内向きに面するネジ山を含み、インスリンペン２１０４と嵌合し、また、外向きに面するネジ山を含み、使い捨てのペンニードルと嵌合する。１つのバージョンでは、スマートスリーブは、セプタムおよびカニューレを含み、インスリンカートリッジとペンニードルとの間のフローチャネルの一部を形成する。このバージョンでは、スマートスリーブは、好ましくは、上記に議論されているＭＥＭＳフローセンサなどのフローセンサを含む。別のバージョンでは、ペンスリーブは、単に、ＲＦＩＤチップなどの識別情報を含有し、使い捨てのペンニードルパッケージのロット数、ユニットの数、および他の情報を識別する。このバージョンでは、スマートスリーブは、ペンおよびペンニードルとそれぞれ嵌合するための、内向きに面するネジ山および外向きに面するネジ山を依然として含むが、スリーブは、中空のシリンダを形成しており、また、ペンニードルはスマートスリーブと嵌合するが、それぞれのペンニードルの内向きに面するカニューレは、インスリンペンのセプタムを依然として穿孔しており、スマートスリーブが、インスリンカートリッジとペンニードルとの間の流体経路の一部を形成しないようになっている。
【００５６】
別の例示的なシステム２４００において、スマートキャップ２１０４には、一揃いのエミッタ２４０２および一揃いのセンサ２４０４が設けられている。エミッタ２４０２およびセンサ２４０４の一部分は、注入の前および後のペンニードルの中のプランジャの場所を感知し、ユーザに送達される投与量を検証する。少なくとも１つの他のエミッタおよびセンサが、ペンニードル２４０６に隣接して位置付けされており、スマートキャップ２１０４がペン２１０２に取り付けられているときには、スマートキャップが、センサによって受け取られる信号に基づいてペンニードルを識別することができるようになっている。スマートキャップ２１０４は、携帯電話２１０８と通信し、携帯電話２１０８は、上記に議論されているように、クラウドベースのストレージ２１１０と通信する。この実施形態では、専用の使い捨てのペンニードルは、有利には、マークを付けられており、エミッタおよびセンサが、ペンニードルを識別する一意性信号を真正であるとして識別するようになっている。信号は、光学的な、磁気的な、または、任意の他の適切な信号手段であることが可能である。
【００５７】
さらなる別の例示的なシステムでは、上記の特徴のすべてが組み合わせられる。すなわち、使い捨てのペンニードルパッケージ２１０６は、一意性バーコード２２０２（または、任意の適切なマーキング）を刷り込まれており、ペンニードル２１０６のパッケージは、スマートスリーブ２３０２を提供されており、使い捨てのペンニードルは、光学的な、磁気的な、または、任意の他の適切なシグネチャー信号などのような、一意性シグネチャーとともに製造されている。スマートキャップ２１０４は、スマートスリーブ２３０２またはスマートフォン２１０８の中のダウンカウンタをトリガし、真正なペンニードルの一意性シグネチャーを感知する。ペンニードルが認識されない場合には、いくつかのまたはすべての機能が、上記に議論されているように制限され得る。ダウンカウンタは、ペンニードルのパッケージが使い尽くされたはずであるとき、より高いレベルの特徴を制限するように使用される。
【００５８】
回転式投与量調節ノブまたはダイヤルを含むさらなる実施形態が、ここで説明されることとなる。図２５および図２６に図示されているように、本発明の実施形態２５００は、好ましくは、注入の前にインスリン投与量のダイヤルを回すために使用される回転式ノブを保持して並進させるために圧入フィーチャを使用して、市販のインスリンペンに取り付けられている。取り付けの別の手段は、カスタマイズされた内部フィーチャと外部フィーチャとを備えた使い捨てのプラスチックリングであることが可能であり、内部フィーチャは、商業的に販売されている特定のインスリンペンと嵌合することとなり、外部フィーチャは、すべてのリングにわたって共通であることとなり、また、回転式デバイスと嵌合することとなる。デバイス２５００の本体部は、インスリンペン本体部に取り付けられており、センサ２５０２を回転式ペン本体部に対して静止状態に維持する。内側スリーブは、回転式ノブ２５０４が回転するときに、軸線方向に並進するが、外側スリーブ２５０６は、静止状態のままであり、ユーザのための手づかみ部を提供する。外側スリーブは、好ましくは、部分的ターンの刻み付きナットによって締められるロッキングカラー、スライド式の「プッシュオン」コネクタ、または、カラーをロックするための任意の他の適切なシングルモーションアクチュエータを使用して、インスリンペン本体部の上で静止状態に保持されている。
【００５９】
回転式デバイスの３６０度ダイヤル２５０４は、合計で３６ポール（中央径においてそれぞれ２ｍｍ幅に測定される、交互になっているＮ極およびＳ極）を備えたリング磁石２５０８を保持している。当然のことながら、リング磁石のポールの数は、本発明の範囲および精神から逸脱することなく変更され得る、数３６が、好適な実施形態であると考慮されることとなる。デバイスは、ａｍｓ  ａｇによって製造されているＡＳ５３０４センサなどの、軸外ホール効果エンコーダを、リング磁石を観察する位置に保持している。投与量がダイヤルで回されるときに、デバイスは、回転式ノブの拡張とともに、軸線方向に（テレスコープ式に）並進する。磁石は、好ましくは、センサの上方１．５ｍｍに位置付けされており、リング磁石の中央径がセンサチップのホールエレメントに整合するように配向されている。ダイヤル２５０４が回転させられるときに、それは、内部投与量選択ノブを直接的に並進させ、リング磁石２５０８をセンサ２５０２に対して回転させる。ソフトウェアは、デバイスダイヤルのすべてのモーションを記録する。デバイス２５００は、注入送達の間の注入力を転換するためのボタンフィーチャを、インスリンペンの上部にあるスピニングのないプッシュボタンまたはアクチュエータに組み込んでいる。ボタンは、センサの中に構築される磁界測定を使用し、投与の開始および終了を認識する。これは、好ましくは、投与からの力を使用することによって実現され、対向するプラスチックスプリングをオフセットさせ、センサのより近くに磁石を移動させる。磁石がより近くに移動するにしたがって、磁界のアナログ電圧読み値が、ソフトウェアの中にセットされた所定の閾値をパスする。回転式デバイスの中に組み込まれているＬＥＤが、好ましくは点灯させられ、磁気スイッチが活性化させられて回転が記録されているということをユーザに示す。
【００６０】
時計回りおよび反時計回りの両方のすべての回転データは、好ましくは、記憶および処理され、インスリンペンから送達された投与量を正しく記録する。また、時間および日付情報は、好ましくは、それぞれの投与量エントリとともに記憶されている。投与量読み値は、ダイヤルの角度的回転からキャリブレートされる。センサ、および、３６磁極を備えるリング磁石は、１回転当たり２８８０カウントが可能であり、それは、２０インスリンユニットに対応している。これは、０．００７インスリンユニットの分解能を生み出し、０．５インスリンユニット未満の平均誤差が実験室検査の間に見られる。
【００６１】
この実施形態によれば、インスリンペンダイヤルの回転は、意図した投与量を正確にトラッキングするために感知される。回転トラッキングを投与量モニタリングに転換するために、センサによって供給されるアナログ電圧は磁界強度を示している。閾値が、ソフトウェアの中にセットされており、親指力がペン注入器投与を始めることとなるレベルに到達するときを認識する。プラスチックスプリング、または、スプリングの別の形態が使用され、ペン注入器アクチュエータに力が及ぼされないときには、センサから１ｍｍを超える位置にリング磁石を保持する。力が及ぼされるとき、スプリングが押し下げられ、磁石は、センサのより近くに移動する。磁界が増加させられるとき、デバイスは、投与量注入移動をダイヤリング移動から差別化することが可能である。ダイヤリングおよび投薬との間を差別化する方法がなければ、有効性は、誤検出によって構成されることとなり、誤検出のときには、ユーザが注入なしにダイヤルを行ったり来たりさせている。この実施形態は、軸外静止センサ、および、回転ダイヤルの中に埋め込まれているマルチポールリング磁石を使用する。ほとんどのインスリンペンは、１．０ユニットインクリメントでの投与量調節を有しており、小さいパーセンテージの商業用の注入ペンは、０．５ユニットインクリメントの調節を有している。例示的な本発明の実施形態によって提供される分解能および精度は、有利には、ペンの精度を超えており、したがって、患者によって送達される意図した投与量の正確な測定を可能にする。あるいは、時計回り（ＣＷ）および反時計回り（ＣＣＷ）の回転移動は、投与量を決定するために合計され得る。この実施形態は、ＯＴＳペン注入器に過度の高さを追加する必要性を排除し、ユーザが組み合わせペンおよびデバイスをより容易に動作させることを可能にする。図２７に示されているように、デバイスは、好ましくは、ペン注入器本体部に沿って、および、ペン注入器本体部の周りに、ＰＣＢ、バッテリ、およびリング磁石を含有しており、自然の手づかみに一致している。
【００６２】
本発明の例示的な実施形態によるリニア投与量測定デバイスが、ここで、図２８に関連して説明されることとなる。１つのバージョンでは、異方性磁気抵抗（ＡＭＲ）センサのアレイ、および、単一のネオジム磁石が組み込まれている。別のバージョンでは、単一のリニアホールエンコーダが、Ｎ極およびＳ極を交互に入れ替える２８ポールを備えたストリップ磁石の変位を測定し、それぞれのポールが、おおよそ２ｍｍを測定している。両方のバージョンにおいて、シリンジは、リニアデバイス２８００の本体部２８０２の中へ挿入され、リニアデバイス２８００の本体部２８０２の中に拘束され、また、シリンジプランジャ２８０４は、「フォロワ」２８０６の中に保持され、「フォロワ」２８０６は、シリンジプランジャの移動をリニアデバイスの中のセンサに転換するリニアデバイス２８００のエレメントである。リニアデバイスの本体部２８０２は、シリンジ２８０８を受け入れるキャビティまたはネスト２８１０を有している。キャビティは、１つのシリンジの直径だけを受け入れるようにサイズ決められ得る、または、キャビティは、多くのシリンジの直径を受け入れるように自在に対応可能であり、そのケースでは、（１）シリンジの外側表面の上のバーコードのスキャニング、または、（２）バレルを測定するためにスマートフォンの中の光学素子を使用すること、または、（３）たとえばオーバーモールドなどによって、ＲＦＩＤチップがシリンジ組み込まれ得ること、のうちの１つを通して、シリンジ直径が識別され得る、リニアデバイス２８００は、近距離無線通信（ＮＦＣ）の手段、または他の手段を通して、ＲＦＩＤを読み取ることが可能である。
【００６３】
第１のバージョンは、５５ｍｍにわたってトラベルするネオジム磁石２８１２を使用し、シリンジ２８０８の中のプランジャ２８０４の位置を転換する。センサのアレイは、１０ｍｍのオフセットで磁石経路に対して平行な線の上に設置されており、磁石から放出される磁界を観察する。アレイは、好ましくは、１０ｍｍ間隔で配置されている６つのＡＭＲセンサ（Ｈｏｎｅｙｗｅｌｌ  ＨＭＣ１５０１）を有している。磁石近接に起因して磁界が増加するにつれて、電圧が誘導および記録される。システムは、すべてのセンサデータを融合させるように、および、磁石のリニア位置を出力するように、キャリブレートされる。インスリン投与量は、磁石のリニア位置、および、それがトラッキングしているシリンジの断面積からキャリブレートされる。１つの例では、１ｍＬシリンジが、５５ｍｍトラベルとともに使用され、５５ｍｍトラベルは、１ｍｍ当たり１８．１８インスリンユニットに転換される。
【００６４】
ネオジム磁石は、スライド２８０６を使用して、デバイスの中に獲得されており、スライド２８０６は、シリンジプランジャ２８０４の親指アクチュエータ２８１４に接続され、それを交換している。プランジャ２８０４が、線形に移動し、シリンジの中へ流体を引き込むときに、磁石２８１２も直接的に軸線方向に並進して移動する。シリンジ２８０８の本体部は、それをデバイス２８００の中へクリップ留めすることによって、適切な場所に保持されており、また、フィンガーホールド２８１６は、軸線方向の並進を防止するように保持されている。センサアレイおよび磁石は、１０ｍｍギャップによって分離されており、１０ｍｍギャップは、すべての重要なパーツが同一平面上にセットされた状態で、１ｍＬ以下のシリンジに対して空間的余裕を提供する。リアカバ２８１８が、締結具２８２０などを使用して、デバイスの本体部２８０２に接続される。
【００６５】
リニアホールエンコーダバージョンは、ＡＭＲアプローチと同様のフォームファクタを有している。それは、デバイス２８００の本体部２８０２の中にホールセンサを位置決めし、ストリップ磁石から０．８ｍｍ未満の分離を与える。ストリップ磁石は、長さが５５ｍｍであり、スライド２８０６に接着されており、スライド２８０６は、シリンジプランジャ２８０４の親指アクチュエータ２８１４に接続され、それを交換している。また、流体がシリンジ２８０８の中に引き込まれるか、または、シリンジ２８０８から注入されるときに、このスライド２８０６は、プランジャ２８０４とともに軸線方向に直接的に並進することとなる。
【００６６】
リニアホールエンコーダは、シリンジプランジャ２８０４が０ｍＬ位置に到達したときを決定するために、ホーム位置を使用する。これを達成するために、ストリップ磁石の端部は、合計スライド２８０６のトラベルが終了する前の１〜２ｍｍに設置されている。これは、４つのホールエレメントセンシングのうちの２つの降下を引き起こし、それは、磁気的な強度誤差をトリガする。第１のポールペアのセンシングを再確立するために必要とされるトラベルを知ることによって、ゼロ位置がキャリブレートされ得る。あるいは、ゼロ位置に鉄系材料を設置し、一意性の方式で磁界を変化させることによって、ゼロ位置が決定され得る。これは、リニアホールエンコーダが絶対的な測定を記録することを可能にし、それは、性能を増加し、また、シーケンシャルエラによって導入され得るオフセットを排除する。好ましくは、デバイスが、ホーム位置から離れたモーションを認識し、プランジャの位置を記録しているということをユーザに知らせるために、ＬＥＤが用いられている。マルチカラーのＬＥＤが使用される場合には、１つの色が、薬物を引き出していることを示すために使用され得る、異なる色が、デバイス２８００がトラベルの両方の方向をトラッキングするときに、注入を示すことが可能である。
【００６７】
準備移動は、好ましくは、加速度計および／またはソフトウェアによって認識され、ソフトウェアは、投与量が送達された場合にシリンジがホーム位置に戻る前の最終的なプランジャ移動などの、送達サイクルのすべての移動を合理化し、患者に送達された実際の投与量を決定する。
【００６８】
図２９に図示されている連続的な流量トラッキングデバイス２９００が、ここで、説明されることとなる。連続的な流量トラッキングデバイス２９００は、ＭＥＭＳ  サーマル飛行時間型（ＴＴｏＦ）液体フローセンサを使用し、カニューレアダプタ２９０２を通る流量を記録する。このアダプタは、市販のインスリンペンの上に取り付けられるか、または、インスリンペンの設計の中に組み込まれており、伝統的なインスリンペンニードル２９０４の取り付けを可能にする。
【００６９】
アダプタは、５インスリンユニット未満を使用して、伝統的なペンニードルとともに使用される同じプロセスによって準備される。センサ「オン」をトリガするスイッチが、ペンキャップ２９０６の中に組み込まれている。１つの実施形態では、スイッチは、加速度計に関連して動作させられ、デバイス／ペンの移動を測定し、また、デバイスが一定期間にわたって脇に置かれていた後に、スリープモードから低パワーモードに進入する。１つのサーミスタの上に発生させられる正弦波の熱波を使用することによって、および、下流のサーミスタの上に見られる振幅および位相シフトを測定することによって、流量が記録される。流量は、投与量ボリュームを計算するために、時間に関して積分される。
【００７０】
デバイス２９００のほとんどは、耐久性のあるアッセンブリになるように構築されており、それは、１年から２年の期間にわたって、多くのインスリンペンおよびフローアダプタとともに再使用され得る。好ましくは、ペンニードル２９０４だけは、それぞれの使用の後に処分される必要があることとなり、また、フローチャネルアダプタ２９０２は、それぞれのインスリンペンが廃棄されるときに処分されることとなる。フローチャネルアダプタ２９０２は、オス型のおよびメス型の端部を有しており、それらは、インスリンペンの端部のオス型の接続フィーチャ、および、ペンニードル２９０４の上のメス型の接続ハブと同一である。
【００７１】
フローセンシングデバイス２９００は、手順に対する順守または適合性を促進させるために使用され得る、すなわち、Ｆｏｒｕｍ  ｆｏｒ  Ｉｎｊｅｃｔｉｏｎ  Ｔｅｃｈｎｉｑｕｅ（ＦＩＴ）に説明されているガイダンスに従っており、それは、糖尿病治療の全関係者のための注入技法におけるベストプラクティスを確立および促進させるために開発された。フローセンシングデバイス２９００は、好ましくは、リアルタイムクロック（ＲＴＣ）およびローリングイベントファインダを利用し、サーマル飛行時間型（ＴＴｏＦ）の耐久性のあるデバイスの上に投与イベントデータだけを記憶する。イベントファインダは、「投与開始」および「投与終了」タイムスタンプを有することとなる。ＬＥＤは、投与量が送達および測定されているときに、使用されて点灯させられ得る、また、ＬＥＤは、「投与終了」イベントが感知された後に、特定の秒数にわたってそのままになっていることが可能である。あるいは、圧電振動デバイスが、システムの中へ組み込まれ、触覚フィードバックを患者に提供することが可能である。また、フローセンシングデバイス２９００は、加速度計（図示せず）を含み、ペンのランダム移動を投薬イベントから区別する。したがって、フローセンシングデバイス２９００は、投与量が送達された後に、推奨された持続期間にわたって、患者が彼らの組織に対してインスリンペンを保持しているかどうかということを決定するために使用され得る、すなわち、デバイスは、有利には、手順に対する適合性を測定することが可能である。不適合性は、患者の電子的なログブックの中に書き留められ得る、それは、医療従事者（ＨＣＰ）によって評価され得る。
【００７２】
たとえば、投与量が完全に送達される前に患者が組織からペンを除去するなど、極端な不適合性のケースでは、フローの中のサージが、フローセンサによって検出されることとなる。アラームが、デバイスの中へ組み込まれ、不完全な投与の患者に警告することが可能である。意図した投与量、および、組織の中へ送達される投与量の一部分の両方が、好ましくは、任意の補正投与量とともに、患者のログブックの中に記録され、ＨＣＰが患者の自己療法におけるこの欠点を識別することを可能にする。患者が意図した投与量よりも少ない投与量を連続的に受けている場合など、不適合性の極端なケースに関して、ＨＣＰは、直接的に通知され、介入して指導を行うことが可能である。
【００７３】
また、ＴＴｏＦセンサは、有利には、逆流を検出することが可能であり、逆流は、カニューレの閉塞によって、または、患者が皮内スペースの中へ誤って注入した結果としてのフローの過度の抵抗によって、引き起こされ得る。両方のケースにおいて、アラートが、患者に送られ、適正で完全な投与送達が行われたかどうかということを確認するように患者を促す。また、この特徴は、外来設定または臨床設定のいずれかにおいて、皮下薬物または静脈内薬物の輸液に関して有用である。
【００７４】
たとえば、近距離無線通信（ＮＦＣ）能力を備えたＢｌｕｅｔｏｏｔｈ  Ｌｏｗ  Ｅｎｅｒｇｙ（ＢＬＥ）チップを組み込むことなど、デバイスを改善するために、および、追加的な利点を提供するために、電子回路およびソフトウェアに対する修正が行われ得るということを、当業者は理解することとなる。そのような追加は、システムが、たとえば、ＮＦＣタグを含むペンニードル（ＰＮ）を識別することを可能にすることとなる。
【００７５】
投与量を測定するためにサーマル飛行時間を使用する別の投与量測定デバイス３２００が、ここで、図３２〜図４２に関連して説明されることとなる。図３２に図示されているように、デバイス３２００は、標準的なインスリンペン３２０２とともに働く。投与量センサ使い捨て部分３２０４は、インスリンペン３２０２に接続されており、そこには、標準的なペンニードル３２０６が通常は接続することとなる。投与量センサ耐久性部分３２０８は、使い捨て部分３２０４の上にフィットしている。ペンニードル３２０６は、使い捨て部分３２０４の遠位端部の上にねじ込まれている。最後に、キャップ３２１０は、耐久性部分３２０８の上にフィットしている。投与量センサ耐久性部分３２０８は、好ましくは、電子機器、および、とりわけワイヤレス通信コンポーネントを含み、スマートフォン３２１２、または、任意の他の適切なリモートデバイスとワイヤレスで通信し、データを交換する。
【００７６】
上記に説明されている投与量センシング使い捨て部分３２０４は、異方性（ｚ軸）サーマルフィルムを利用し、標準的なインスリンペンとともに使用される投与量獲得システムの一部であるサーマル飛行時間型フローセンサに関する熱信号を伝送する。ここで、使い捨て部分３２０４が、図３３〜図３５に関連して、より詳細に説明されることとなる。使い捨て部分３２０４は、ｚ軸フィルム３２１２と、センサの付近に均一な層流を生成させるために使用されるプラスチックマニホールド３２１４と、標準的なインスリンペンのセプタムを穿孔する入口カニューレ３２１６と、標準的なインスリンペンニードルを受け入れる吐出端部にあるゴム製セプタム３２１８とを含む。入口部端部において、ネジ山付き部分またはスナップフィット部分３２２０は、標準的なインスリンペン３２０２に接続するように適合されている。図３５に図示されているように、組み立てられると、ｚ軸フィルム３２１２の表面は、フローチャネルの中へ突出しており、フィルムの表面を横切るせん断勾配および速度勾配が定常状態になっていること、ならびに、最小流体停滞ゾーンが存在しているということを確実にする。
【００７７】
耐久性部分３２０８が、図３６の分解図に図示されている。耐久性部分３２０８は、バッテリ３２２２と、ワイヤレス通信コンポーネント（図示せず）を含む回路基板３２２４と、ＭＥＭＳベースのサーマル飛行時間型センサエレメント３２２６と、プラスチックハウジング３２２８と、センサ３２２６を使い捨て部分３２０４に係合させるための、および、インスリンペン３２０２の上に耐久性部分３２０８をロックまたはクランプするための、追加的なコンポーネント３２３０ａ、３２３０ｂとを含む。
【００７８】
上記に説明されている投与量センサは、センシングエレメントから受け取られるデータを分析することによって、インスリンボリュームを計算する。熱パルスが入力加熱エレメントから下流のセンシングエレメントにトラベルすることに関する時間遅れが、好ましくは、位相シフトを決定するために使用される。センシングエレメントにおける測定値の大きさおよび位相シフトは、好ましくは、インスリンフローを決定するために使用される。サーマル飛行時間型センサエレメントについての追加的な詳細が、図３７に関連して示されて説明されている。センシングエレメント３２２６は、回路基板に接着されたＭＥＭＳチップから構成されている。ＭＥＭＳチップは、ヒータ３２３０および２つの対称的にオフセットされた温度センシングエレメント３２３２に関する導電性トレースを備えたセラミック基板またはガラス基板である。中央の加熱エレメント３２３０は、電流を介して加熱され、２つの外側のエレメント３２３２は、このヒータによって生成されるサーマル信号を測定するために使用される。回路基板は、構造的支持を提供し、ＭＥＭＳセンサチップへの電気的な接続を作る。２つのセンシングエレメント３２３２は、好ましくは、加熱エレメント３２３０から対称的にオフセットされている。オフセット距離を修正することは、大きい位相分解能を示す特定の流量レンジの選択を可能にし、より良好な精度を生み出す。それに加えて、複数のセンシングエレメントペアは、１００μｍおよび２００μｍなどのような、異なるオフセット距離に設けられ、必要に応じて、投与量測定精度をより大きい流量レンジまで拡張することが可能である。
【００７９】
図３８〜図４０は、使い捨て部分３２０４、耐久性部分３２０８、インスリンペン３２０２、およびペンニードル３２０６の間の相互作用を示している。使い捨て部分３２０４は、インスリンペン３２０２の上に組み立てられ、インスリンペンの上のゴム製セプタムを穿孔し、流路を生成させる。次いで、耐久性部分３２０８が、使い捨て部分３２０２の上に組み立てられ、耐久性部分３２０２の中のサーマル飛行時間型フローセンサが、使い捨て部分３２０２の中のｚ軸フィルム３２１２の表面に対して押し付けられ、２つのコンポーネントが、それらの間にギャップのない状態で、密接接触するようになっている。３２３４に図示されているこの嵌合条件は、ボタン３２３６を押すことなど二次的なステップを介して作製され得る。センサ３２２６は、あるいは、ばね荷重式のアームまたはカムに装着され得る、それがユーザのために自動的に行われるようになっている。耐久性部分３２０８の中のコンポーネントは、センサ３２２６と使い捨て部分３２０８との間の公差の積み重ねを可能にすることに準拠して設計されている。図３８は、ｚ軸フィルム３２１２の表面に対して押し付けられているセンサ３２２６を示している。図３９〜図４０は、２つのコンポーネントが嵌合した状態の、フローセンサを通る断面を示している。
【００８０】
図４１は、ｚ軸フィルム３２１２の断面のクローズアップを示している。フィルム３２１２は、低熱伝導率の周囲マトリックスの中に埋め込まれている熱伝導性の粒子、フレーク、またはファイバの複合材である。フィルムの成分は、フィルムの平面に対して垂直の方向に、比較的に高い熱伝導率を可能にし、また、フィルムの平面に沿う方向に、はるかに低い熱伝導率を可能にする。図４２は、センサ動作の間の意図した熱流路を図示している。ヒータ３２３０は、フィルム３２１２を通して流体３２３４の中へ熱のパルスを送り、流体３２３４の中で、それは、流体フローによって下流に運ばれる。次いで、熱は、反対側方向にフィルムを通してサーマルセンサ３２３２へ伝導される。理想的なｚ軸フィルムは、平面（ＸＹ）において比較的に高いサーマル抵抗を有しながら、Ｚ方向に最小サーマル抵抗を有することとなる。
【００８１】
上記に説明されているデバイスは、好ましくは、以下の特性を有している。ｚ軸フィルム３２１２は、可能な限り薄くなっているべきである。熱伝導性の粒子のボリューム分率は、粒子同士の間の分離が面内伝導性を最小化することを可能にしながら、可能な限り高くなっているべきである。熱伝導性の粒子は、ヒータとセンサとの間のスペーシングよりもはるかに小さいピッチで、均等に間隔を置いて配置されているべきである。粒子熱伝導率は、可能な限り高くなっているべきである。周囲マトリックス熱伝導率は、可能な限り低くなっているべきである。理想的な粒子は、フィルムの厚さにまたがることとなる小さい直径および長さを有する円筒形状の形状を有することが可能である。粒子は、好ましくは、サーマル抵抗を最小化するために、非伝導性のマトリックス材料の表面を越えて延在するべきである。フィルムは、弾性的でありまたはわずかに柔軟性があるべきであり、ＭＥＭＳセンサの表面に一致し、空気ギャップを排除することができるようになっており、亀裂、破砕、または漏出なしに、インターフェースにおけるサーマル抵抗を最小化するようになっている。流体チャネルからの圧力は、フィルムが動作の間にＭＥＭＳチップの表面に対して固く押し付けられることを確実にし、サーマル接触抵抗を最小化することとなる。ｚ軸フィルムシートは、好ましくは、ＡＢＳまたは他の共通の熱可塑性樹脂に接着する。気密シールが、フィルムとプラスチックマニホールドとの間に必要とされる。ｚ軸フィルムは、理想的には、ライトタック（light tack）を有することとなり、それがＭＥＭＳチップの表面をわずかに突き刺すようになっているが、残留物または破れたピースがＭＥＭＳチップの表面の上に残っていることなく、完全に剥がされ得るようになっている。ｚ軸フィルムは、最大５日間にわたりインスリンに露出されたときでも安定しているべきであり、有害な物質を流体ストリームの中へ放出しないようにしなければならない。生体適合性コーティングまたは表面処理は、ｚ軸フィルムのベースに適用され、インスリンおよび生体適合性を改善することが可能である。現在製造されているｚ軸フィルムの例、および、場合によっては本発明の実施形態とともに使用するのに適切なｚ軸フィルムの例は、Ａｄｈｅｓｉｖｅｓ  Ｒｅｓｅａｒｃｈ（ＥＬ−９０３２）、３Ｍ（９８８２）、Ｂｔｅｃｈ（ＴＰ−１）、Ｓｈｉｎ  Ｅｔｓｕ（Ｔｙｐｅ  ＡＦ）、およびＳｈｉｎ  Ｅｔｓｕ（Ｔｙｐｅ  ＭＡＦ）を含む。
【００８２】
本発明の実施形態は、いくつかの可能性のある利点を有している。第１に、本発明の実施形態は、ＭＥＭＳセンサが投与量センシングシステムの使い捨て部分から耐久性部分へ移動させられることを可能にし、それによって、システムのコストを低下させ、また、場合によっては、センサコストが多くの使用に広がるので、より高い精度のセンサが使用されることを可能にする。また、本発明の実施形態は、インスリン接触からセンサを隔離し、センサへのすべての電気的な接続が恒久的になることを可能にする。
【００８３】
上記に説明されている実施形態の１つの変形例は、マニホールドをペンニードルと組み合わせる。この構成の利点は、それがセンサの使い捨て部分を排除するということである。この構成の不利益は、それぞれの注入に伴ってセンサチャネルを準備する必要性に起因して、それがインスリン廃棄物を増加させるということである。
【００８４】
マニホールドおよびペンニードルを組み合わせる別の実施形態では、３Ｄプリンティングを利用し、ペンニードル本体部および組み込まれたＺ軸フィルム「ウィンドウ」の両方を促進させることが可能である。それにもかかわらず、３Ｄプリンティングは、有利には、独立型のマニホールドに関してＺ軸フィルムを製作するために利用され得る。利用され得るいくつかの３Ｄプリンティング技術が存在している。１つの例は、ＦＤＭ（熱溶解積層法）であり、また、ＦＦＦ（融解フィラメント製造）としても知られている。ここで、熱伝導性ポリマーフィラメントが、Ｚ軸フィルムの中に熱伝導性のおおよそ１００ミクロンの直径のカラムをプリントするために使用される。必要な直径は、ヒータ３２３０とセンシングエレメント３２３２との間の分離および図４２の中のその幅に依存している。フィルムのマトリックスは、低熱伝導率ポリマ（充填されていない）材料を使用してプリントされる。３ＤプリントされたＺ軸フィルムの１つの実施形態では、構造体は、非常に薄い（２５ミクロン以内）柔軟性ポリマフィルムの上に構築され、それは、ＭＥＭＳフローセンサに接触する側面になることとなる。これの利点は、液密なＺ軸フィルムを確実にし、また、ＭＥＭＳフローセンサに対する低いサーマル抵抗アタッチメントのため柔軟性基板を提供し、一方、不利益は、Ｚ方向に小さい熱伝導率ペナルティを有するという点にある。
【００８５】
さらなる別の実施形態では、ｚ軸材料は、チューブとして構成され得る、フィルムが完全な流路を形成し、二次的なマニホールドが必要とされないようになっている。たとえば、ｚ軸チューブは、ペンニードルの本体部の中へオーバーモールドされ得る、必要とされる場合には、たとえば正方形断面または長方形断面などへ再び形状決めされ、平坦な表面を提供し、ヒータおよびセンサトレースとより容易に嵌合することが可能である。この構成の不利益は、センサとｚ軸フィルムチューブとの間に良好な接触を作ることがより困難になるということである。
【００８６】
また、上記に説明されている投与量センサは、インスリンペンとともに使用することに加えて、輸液ポンプ、シリンジ、または重力供給式輸液ラインなどのような、他のフロー供給源とともに使用され得る。
【００８７】
本発明のいくつかの実施形態しか説明されていないが、本発明は、説明されている実施形態に限定されない。その代わりに、本発明の原理および精神から逸脱することなく、これらの実施形態に対して変更が行われ得るということが当業者によって理解されることとなる。
【図１】
2022000217.tif 000003
【図２Ａ】
2022000217.tif 000004
【図２Ｂ】
2022000217.tif 000005
【図３】
2022000217.tif 000006
【図４】
2022000217.tif 000007
【図５】
2022000217.tif 000008
【図６】
2022000217.tif 000009
【図７】
2022000217.tif 000010
【図８】
2022000217.tif 000011
【図９】
2022000217.tif 000012
【図１０】
2022000217.tif 000013
【図１１】
2022000217.tif 000014
【図１２】
2022000217.tif 000015
【図１３】
2022000217.tif 000016
【図１４】
2022000217.tif 000017
【図１５】
2022000217.tif 000018
【図１６】
2022000217.tif 000019
【図１７】
2022000217.tif 000020
【図１８Ａ】
2022000217.tif 000021
【図１８Ｂ】
2022000217.tif 000022
【図１９Ａ】
2022000217.tif 000023
【図１９Ｂ】
2022000217.tif 000024
【図１９Ｃ】
2022000217.tif 000025
【図１９Ｄ】
2022000217.tif 000026
【図２０】
2022000217.tif 000027
【図２１】
2022000217.tif 000028
【図２２】
2022000217.tif 000029
【図２３】
2022000217.tif 000030
【図２４】
2022000217.tif 000031
【図２５】
2022000217.tif 000032
【図２６】
2022000217.tif 000033
【図２７】
2022000217.tif 000034
【図２８】
2022000217.tif 000035
【図２９】
2022000217.tif 000036
【図３０】
2022000217.tif 000037
【図３１】
2022000217.tif 000038
【図３２】
2022000217.tif 000039
【図３３】
2022000217.tif 000040
【図３４】
2022000217.tif 000041
【図３５】
2022000217.tif 000042
【図３６】
2022000217.tif 000043
【図３７】
2022000217.tif 000044
【図３８】
2022000217.tif 000045
【図３９】
2022000217.tif 000046
【図４０】
2022000217.tif 000047
【図４１】
2022000217.tif 000048
【図４２】
2022000217.tif 000049